(57)【要約】  コンテンツに対するアクセスを許可する装置、コンピュータ可読媒体及びコンピュータに実装された方法が開示される。この方法は、第１のコンテンツドメイン内のコンテンツにアクセスするための認可を有するデバイスから、ユーザに関連付けられたユーザクレデンシャルを受信する工程と、ユーザクレデンシャルに関連付けられたユーザが第２のコンテンツドメイン内のコンテンツにアクセスするためのライセンスを有するか否かを判定する工程と、ユーザクレデンシャルに関連付けられたユーザが第２のコンテンツドメイン内のコンテンツにアクセスするためのライセンスを有するという判定に少なくとも一部基づいて、デバイスが第２のコンテンツドメイン内のコンテンツにアクセスすることを可能にする一時認可を当該デバイスに付与する工程とを備える。
2015510196.tif 000002
【特許請求の範囲】
【請求項１】
コンテンツに対するアクセスを許可する装置であって、
１つ以上のプロセッサと、
前記１つ以上のプロセッサのうち少なくとも１つのプロセッサに動作可能に結合された１つ以上のメモリと
を備え、前記１つ以上のプロセッサのうち少なくとも１つのプロセッサにより実行された場合、前記１つ以上のプロセッサのうち少なくとも１つのプロセッサに、
第１のコンテンツドメイン内のコンテンツへのアクセスが認可されているデバイスから、ユーザと関連するユーザクレデンシャルを受信させ、
前記ユーザクレデンシャルと関連する前記ユーザが第２のコンテンツドメイン内のコンテンツをアクセスするためのライセンスを有するか否かを判定させ、
前記ユーザクレデンシャルと関連する前記ユーザが前記第２のコンテンツドメイン内のコンテンツをアクセスするためのライセンスを有するという判定に少なくとも一部で基づいて、前記第２のコンテンツドメイン内のコンテンツをアクセスするための一時認可を前記デバイスに付与させる
命令が前記少なくとも１つのメモリに記憶されていることを特徴とする装置。
【請求項２】
前記１つ以上のプロセッサのうち少なくとも１つのプロセッサにより実行された場合、前記１つ以上のプロセッサのうち少なくとも１つのプロセッサに、前記デバイスと同一のネットワーク上にある１つ以上の追加のデバイスが前記第２のコンテンツドメイン内のコンテンツをアクセスすることを可能にする一時認可を前記１つ以上の追加のデバイスに付与させる命令が前記１つ以上のメモリのうち少なくとも１つのメモリに更に記憶されていることを特徴とする請求項１記載の装置。
【請求項３】
１つ以上の予め設定された条件が発生した場合、前記一時認可は自動的に失効することを特徴とする請求項１記載の装置。
【請求項４】
前記１つ以上の予め設定された条件は、所定の期間が経過することを含むことを特徴とする請求項３記載の装置。
【請求項５】
前記所定の期間は前記ユーザにより定義されることを特徴とする請求項４記載の装置。
【請求項６】
前記１つ以上の予め設定された条件は、前記第２のコンテンツドメイン内のコンテンツアイテムをアクセスすることを含むことを特徴とする請求項３記載の装置。
【請求項７】
前記１つ以上の予め設定された条件は、前記ユーザが前記デバイスから所定の距離だけ離れることを含むことを特徴とする請求項３記載の装置。
【請求項８】
前記一時認可は、前記第２のコンテンツドメイン内の前記コンテンツのサブセットに対する前記デバイスのアクセスを許可することを特徴とする請求項１記載の装置。
【請求項９】
前記１つ以上のプロセッサのうち少なくとも１つのプロセッサにより実行された場合、前記１つ以上のプロセッサのうち少なくとも１つのプロセッサに、前記一時認可を永続認可に変換するための申し出を送信させる命令が前記１つ以上のメモリのうち少なくとも１つのメモリに更に記憶されていることを特徴とする請求項１記載の装置。
【請求項１０】
前記デバイスが、有効な先行する一時認可を有する場合、一時認可は付与されないことを特徴とする請求項１記載の装置。
【請求項１１】
前記ユーザクレデンシャルと関連する前記ユーザ以外のユーザに属するライセンスに基づいて、前記デバイスは前記第１のコンテンツドメインをアクセス可能であることを特徴とする請求項１記載の装置。
【請求項１２】
前記第２のコンテンツドメイン内にあり、前記第１のコンテンツドメイン内にはないコンテンツアイテムをアクセスしようとする試みの後に前記デバイスへ送出されるクレデンシャル要求に応答して、前記ユーザクレデンシャルは受信されることを特徴とする請求項１記載の装置。
【請求項１３】
前記一時認可は、前記第２のコンテンツドメイン内にあり、前記第１のコンテンツドメイン内にはない前記コンテンツアイテムに限定されることを特徴とする請求項１２記載の装置
【請求項１４】
前記デバイスに一時認可を付与することは、前記デバイスへ一時ドメインキーを送信することを含むことを特徴とする請求項１記載の装置。
【請求項１５】
前記デバイスが前記第２のコンテンツドメイン内のコンテンツをアクセスするための一時認可を有する間、前記デバイスは、前記第１のコンテンツドメイン内及び前記第２のコンテンツドメイン内の双方のコンテンツをアクセスするための許可を有することを特徴とする請求項１記載の装置。
【請求項１６】
前記デバイスが前記第２のコンテンツドメイン内のコンテンツをアクセスするための一時認可を有する間、前記第１のコンテンツドメイン内のコンテンツをアクセスするための前記デバイスの認可は一時停止されることを特徴とする請求項１記載の装置。
【請求項１７】
コンテンツに対するアクセスを許可するために１つ以上のコンピュータ装置が実行するコンピュータに実装された方法であって、
第１のコンテンツドメイン内のコンテンツをアクセスするための認可を有するデバイスから、ユーザと関連するユーザクレデンシャルを前記１つ以上のコンピュータ装置のうち少なくとも１つのコンピュータ装置により受信する工程と、
前記ユーザクレデンシャルと関連する前記ユーザが第２のコンテンツドメイン内のコンテンツをアクセスするためのライセンスを有するか否かを前記１つ以上のコンピュータ装置のうち少なくとも１つのコンピュータ装置により判定する工程と、
前記ユーザクレデンシャルと関連する前記ユーザが前記第２のコンテンツドメイン内のコンテンツをアクセスするためのライセンスを有するという判定に少なくとも一部で基づいて、前記第２のコンテンツドメイン内のコンテンツをアクセスするための一時認可を前記１つ以上のコンピュータ装置のうち少なくとも１つのコンピュータ装置により前記デバイスに付与する工程と
を備えることを特徴とする方法。
【請求項１８】
前記デバイスと同一のネットワーク上にある１つ以上の追加のデバイスが前記第２のコンテンツドメイン内のコンテンツをアクセスすることを可能にする一時認可を前記１つ以上のコンピュータ装置のうち少なくとも１つのコンピュータ装置により前記１つ以上の追加のデバイスに付与する工程を更に備えることを特徴とする請求項１７記載の方法。
【請求項１９】
１つ以上の予め設定された条件が発生した場合、前記一時認可は自動的に失効することを特徴とする請求項１７記載の方法。
【請求項２０】
前記１つ以上の予め設定された条件は、所定の期間が経過することを含むことを特徴とする請求項１９記載の方法。
【請求項２１】
前記所定の期間は前記ユーザにより定義されることを特徴とする請求項２０記載の方法。
【請求項２２】
前記１つ以上の予め設定された条件は、前記第２のコンテンツドメイン内のコンテンツアイテムをアクセスすることを含むことを特徴とする請求項１９記載の方法。
【請求項２３】
前記１つ以上の予め設定された条件は、前記ユーザが前記デバイスから所定の距離だけ離れることを含むことを特徴とする請求項１９記載の方法。
【請求項２４】
前記一時認可は、前記デバイスが前記第２のコンテンツドメイン内の前記コンテンツのサブセットをアクセスすることを許可することを特徴とする請求項１７記載の方法。
【請求項２５】
前記一時認可を永続認可に変換するための申し出を前記１つ以上のコンピュータ装置のうち少なくとも１つのコンピュータ装置により送信する工程を更に備えることを特徴とする請求項１７記載の方法。
【請求項２６】
前記デバイスが有効な先行する一時認可を有する場合、一時認可は付与されないことを特徴とする請求項１７記載の方法。
【請求項２７】
前記第１のコンテンツドメインは、前記ユーザクレデンシャルと関連する前記ユーザ以外のユーザに属するライセンスに基づいて、前記デバイスは前記第１のコンテンツドメインをアクセス可能であることを特徴とする請求項１７記載の方法。
【請求項２８】
前記第２のコンテンツドメイン内にあり、前記第１のコンテンツドメイン内にはないコンテンツアイテムをアクセスしようとする試みの後に前記デバイスへ送出されるクレデンシャル要求に応答して前記ユーザクレデンシャルは受信されることを特徴とする請求項１７記載の方法。
【請求項２９】
前記一時認可は、前記第２のコンテンツドメイン内にあり、前記第１のコンテンツドメイン内にはない前記コンテンツアイテムに限定されることを特徴とする請求項２８記載の方法。
【請求項３０】
前記デバイスに一時認可を付与することは、前記デバイスへ一時ドメインキーを送信することを含むことを特徴とする請求項１７記載の方法。
【請求項３１】
前記デバイスが前記第２のコンテンツドメイン内のコンテンツをアクセスするための一時認可を有する間、前記デバイスは、前記第１のコンテンツドメイン内及び前記第２のコンテンツドメイン内の双方のコンテンツをアクセスするための認可を有することを特徴とする請求項１７記載の方法。
【請求項３２】
前記デバイスが前記第２のコンテンツドメイン内のコンテンツをアクセスするための一時認可を有する間、前記第１のコンテンツドメイン内のコンテンツをアクセスするための前記デバイスの認可は一時停止されることを特徴とする請求項１７記載の方法。
【請求項３３】
少なくとも１つの非一時的コンピュータ可読媒体であって、
１つ以上のコンピュータ装置により実行された場合、前記１つ以上のコンピュータ装置のうち少なくとも１つのコンピュータ装置に、
第１のコンテンツドメイン内のコンテンツをアクセスするための認可を有するデバイスから、ユーザと関連するユーザクレデンシャルを受信させ、
前記ユーザクレデンシャルと関連する前記ユーザが第２のコンテンツドメイン内のコンテンツをアクセスするためのライセンスを有するか否かを判定させ、
前記ユーザクレデンシャルと関連する前記ユーザが前記第２のコンテンツドメイン内のコンテンツをアクセスするためのライセンスを有するという判定に少なくとも一部で基づいて、前記第２のコンテンツドメイン内のコンテンツをアクセスするための一時認可を前記デバイスに付与させる
コンピュータ可読命令を記憶することを特徴とする少なくとも１つの非一時的コンピュータ可読媒体。
【請求項３４】
前記１つ以上のコンピュータ装置のうち少なくとも１つのコンピュータ装置により実行された場合、前記１つ以上のコンピュータ装置のうち少なくとも１つのコンピュータ装置に、前記デバイスと同一のネットワーク上にある１つ以上の追加のデバイスが前記第２のコンテンツドメイン内のコンテンツをアクセスすることを可能にする一時認可を前記１つ以上の追加のデバイスに付与させるコンピュータ可読命令を更に記憶することを特徴とする請求項３３記載の少なくとも１つの非一時的コンピュータ可読媒体。
【請求項３５】
１つ以上の予め設定された条件が発生した場合、前記一時認可は自動的に失効することを特徴とする請求項３３記載の少なくとも１つの非一時的コンピュータ可読媒体。
【請求項３６】
前記１つ以上の予め設定された条件は、所定の期間が経過することを含むことを特徴とする請求項３５記載の少なくとも１つの非一時的コンピュータ可読媒体。
【請求項３７】
前記所定の期間は前記ユーザにより定義されることを特徴とする請求項３６記載の少なくとも１つの非一時的コンピュータ可読媒体。
【請求項３８】
前記１つ以上の予め設定された条件は、前記第２のコンテンツドメイン内のコンテンツアイテムをアクセスすることを含むことを特徴とする請求項３５記載の少なくとも１つの非一時的コンピュータ可読媒体。
【請求項３９】
前記１つ以上の予め設定された条件は、前記ユーザが前記デバイスから所定の距離だけ離れることを含むことを特徴とする請求項３５記載の少なくとも１つの非一時的コンピュータ可読媒体。
【請求項４０】
前記一時認可は、前記第２のコンテンツドメイン内の前記コンテンツのサブセットに対する前記デバイスのアクセスを許可することを特徴とする請求項３３記載の少なくとも１つの非一時的コンピュータ可読媒体。
【請求項４１】
前記１つ以上のコンピュータ装置のうち少なくとも１つのコンピュータ装置により実行された場合、前記１つ以上のコンピュータ装置のうち少なくとも１つのコンピュータ装置に、前記一時認可を永続認可に変換するための申し出を送信させるコンピュータ可読命令を更に記憶することを特徴とする請求項３３記載の少なくとも１つの非一時的コンピュータ可読媒体。
【請求項４２】
前記デバイスが有効な先行する一時認可を有する場合、一時認可は付与されないことを特徴とする請求項３３記載の少なくとも１つの非一時的コンピュータ可読媒体。
【請求項４３】
前記ユーザクレデンシャルと関連する前記ユーザ以外のユーザに属するライセンスに基づいて、前記デバイスは前記第１のコンテンツドメインをアクセス可能であることを特徴とする請求項３３記載の少なくとも１つの非一時的コンピュータ可読媒体。
【請求項４４】
前記第２のコンテンツドメイン内にあり、前記第１のコンテンツドメイン内にはないコンテンツアイテムをアクセスしようとする試みの後に前記デバイスへ送出されるクレデンシャル要求に応答して、前記ユーザクレデンシャルは受信されることを特徴とする請求項３３記載の少なくとも１つの非一時的コンピュータ可読媒体
【請求項４５】
前記一時認可は、前記第２のコンテンツドメインにあり、前記第１のコンテンツドメイン内にはない前記コンテンツアイテムに限定されることを特徴とする請求項４４記載の少なくとも１つの非一時的コンピュータ可読媒体。
【請求項４６】
前記デバイスに一時認可を付与することは、前記デバイスへ一時ドメインキーを送信することを含むことを特徴とする請求項３３記載の少なくとも１つの非一時的コンピュータ可読媒体。
【請求項４７】
前記デバイスが前記第２のコンテンツドメイン内のコンテンツをアクセスするための一時認可を有する間、前記デバイスは、前記第１のコンテンツドメイン内及び前記第２のコンテンツドメイン内の双方のコンテンツをアクセスするための認可を有することを特徴とする請求項３３記載の少なくとも１つの非一時的コンピュータ可読媒体。
【請求項４８】
前記デバイスが前記第２のコンテンツドメイン内のコンテンツをアクセスするための一時認可を有する間、前記第１のコンテンツドメイン内のコンテンツをアクセスするための前記デバイスの認可は一時停止されることを特徴とする請求項３３記載の少なくとも１つの非一時的コンピュータ可読媒体。
【請求項４９】
コンテンツに対するアクセスを取得する装置であって、
１つ以上のプロセッサと、
前記１つ以上のプロセッサのうち少なくとも１つのプロセッサに動作可能に結合された、命令を記憶する１つ以上のメモリと
を備え、
前記命令は、前記１つ以上のプロセッサのうち少なくとも１つのプロセッサにより実行された場合、前記１つ以上のプロセッサのうち少なくとも１つのプロセッサに、
−第１のコンテンツドメイン内のコンテンツにアクセスするための認可を有するデバイスのユーザに関連付けられたユーザクレデンシャルを送信させ、
−前記ユーザクレデンシャルに関連付けられた前記ユーザが第２のコンテンツドメイン内のコンテンツにアクセスするためのライセンスを有するという判定に少なくとも一部基づいて、前記デバイスが前記第２のコンテンツドメイン内のコンテンツにアクセスするための一時認可を受信させる
ことを特徴とする装置。
【請求項５０】
前記１つ以上のメモリのうち少なくとも１つのメモリは、前記１つ以上のプロセッサのうち少なくとも１つのプロセッサにより実行された場合、前記１つ以上のプロセッサのうち少なくとも１つのプロセッサに、前記装置と同一のネットワーク上にある１つ以上のデバイスが前記第２のコンテンツドメイン内のコンテンツにアクセスすることを可能にする一時認可を該１つ以上のデバイスに付与させる命令を更に記憶することを特徴とする請求項４９記載の装置。
【請求項５１】
１つ以上の予め設定された条件が発生した場合、前記一時認可は自動的に失効することを特徴とする請求項４９記載の装置。
【請求項５２】
前記１つ以上の予め設定された条件は、所定の期間が経過することを含むことを特徴と数請求項５１記載の装置。
【請求項５３】
前記所定の期間は前記ユーザにより定義されることを特徴とする請求項５２記載の装置。
【請求項５４】
前記１つ以上の予め設定された条件は、前記第２のコンテンツドメイン内のコンテンツアイテムにアクセスすることを含むことを特徴とする請求項５１記載の装置。
【請求項５５】
前記１つ以上の予め設定された条件は、前記ユーザが前記デバイスから所定の距離だけ離れることを含むことを特徴とする請求項５１記載の装置。
【請求項５６】
前記一時認可は、前記第２のコンテンツドメイン内の前記コンテンツのサブセットに対するアクセスを許可することを特徴とする請求項４９記載の装置。
【請求項５７】
前記１つ以上のメモリのうち少なくとも１つのメモリは、前記１つ以上のプロセッサのうち少なくとも１つのプロセッサにより実行された場合、前記１つ以上のプロセッサのうち少なくとも１つのプロセッサに、前記一時認可を永続認可に変換するための申し出を受信させる命令を更に記憶することを特徴とする請求項４９記載の装置。
【請求項５８】
先行する一時認可が有効である場合、一時認可は受信されないことを特徴とする請求項４９記載の装置。
【請求項５９】
前記第１のコンテンツドメインは、前記ユーザクレデンシャルに関連付けられた前記ユーザ以外のユーザに属するライセンスに基づいてアクセス可能であることを特徴とする請求項４９記載の装置。
【請求項６０】
前記第２のコンテンツドメイン内にあり、前記第１のコンテンツドメイン内にはないコンテンツアイテムにアクセスしようとする試みの後に受信されるクレデンシャル要求に応答して、前記ユーザクレデンシャルは送信されることを特徴とする請求項４９記載の装置。
【請求項６１】
前記一時認可は、前記第２のコンテンツドメイン内にあり、前記第１のコンテンツドメイン内にはない前記コンテンツアイテムに限定されることを特徴とする請求項６０記載の装置。
【請求項６２】
一時認可を受信することは、一時ドメインキーを受信することを含むことを特徴とする請求項４９記載の装置。
【請求項６３】
前記デバイスが前記第２のコンテンツドメイン内のコンテンツにアクセスするための一時認可を有する間、前記デバイスは、前記第１のコンテンツドメイン内及び前記第２のコンテンツドメイン内の双方のコンテンツにアクセスするための認可を有することを特徴とする請求項４９記載の装置。
【請求項６４】
前記デバイスが前記第２のコンテンツドメイン内のコンテンツにアクセスするための一時認可を有する間、前記第１のコンテンツドメイン内のコンテンツにアクセスするための前記デバイスの認可は一時停止されることを特徴とする請求項４９記載の装置。
【請求項６５】
コンテンツに対するアクセスを取得するために１つ以上のコンピュータ装置が実行するコンピュータに実装された方法であって、
−第１のコンテンツドメイン内のコンテンツにアクセスするための認可を有する前記１つ以上のコンピュータ装置のうち少なくとも１つのコンピュータ装置のユーザに関連付けられたユーザクレデンシャルを前記１つ以上のコンピュータ装置のうち少なくとも１つのコンピュータ装置により送信する工程と、
−前記ユーザクレデンシャルに関連付けられた前記ユーザが第２のコンテンツドメイン内のコンテンツにアクセスするためのライセンスを有するという判定に少なくとも一部基づいて、前記１つ以上のコンピュータ装置のうち少なくとも１つのコンピュータ装置が前記第２のコンテンツドメイン内のコンテンツにアクセスするための一時認可を前記１つ以上のコンピュータ装置のうち少なくとも１つのコンピュータ装置により受信する工程と
を備えることを特徴とする方法。
【請求項６６】
前記１つ以上のコンピュータ装置のうち少なくとも１つのコンピュータ装置と同一のネットワーク上にある１つ以上の追加のコンピュータ装置が前記第２のコンテンツドメイン内のコンテンツにアクセスすることを可能にする一時認可を、前記１つ以上のコンピュータ装置のうち少なくとも１つのコンピュータ装置により該１つ以上の追加のコンピュータ装置に付与する工程を更に備えることを特徴とする請求項６５記載の方法。
【請求項６７】
１つ以上の予め設定された条件が発生した場合、前記一時認可は自動的に失効することを特徴とする請求項６５記載の方法。
【請求項６８】
前記１つ以上の予め設定された条件は、所定の期間が経過することを含むことを特徴とする請求項６７記載の方法。
【請求項６９】
前記所定の期間は前記ユーザにより定義されることを特徴とする請求項６８記載の方法。
【請求項７０】
前記１つ以上の予め設定された条件は、前記第２のコンテンツドメイン内のコンテンツアイテムにアクセスすることを含むことを特徴とする請求項６７記載の方法。
【請求項７１】
前記１つ以上の予め設定された条件は、前記ユーザが前記１つ以上のコンピュータ装置のうち少なくとも１つのコンピュータ装置から所定の距離だけ離れることを含むことを特徴とする請求項６７記載の方法。
【請求項７２】
前記一時認可は、前記第２のコンテンツドメイン内の前記コンテンツのサブセットに対する前記１つ以上のコンピュータ装置のうち少なくとも１つのコンピュータ装置のアクセスを許可する請求項６５記載の方法。
【請求項７３】
前記一時認可を永続認可に変換するための申し出を前記１つ以上のコンピュータ装置のうち少なくとも１つのコンピュータ装置により受信する工程を更に備えることを特徴とする請求項６５記載の方法。
【請求項７４】
前記１つ以上のコンピュータ装置のうち少なくとも１つのコンピュータ装置が有効な先行する一時認可を有する場合、一時認可は受信されないことを特徴とする請求項６５記載の方法。
【請求項７５】
前記ユーザクレデンシャルに関連付けられた前記ユーザ以外のユーザに属するライセンスに基づいて、前記１つ以上のコンピュータ装置のうち少なくとも１つのコンピュータ装置は前記第１のコンテンツドメインにアクセス可能であることを特徴とする請求項６５記載の方法。
【請求項７６】
前記第２のコンテンツドメイン内にあり、前記第１のコンテンツドメイン内にはないコンテンツアイテムにアクセスしようとする試みの後に受信されるクレデンシャル要求に応答して、前記ユーザクレデンシャルは送信されることを特徴とする請求項６５記載の方法。
【請求項７７】
前記一時認可は、前記第２のコンテンツドメイン内にあり、前記第１のコンテンツドメイン内にはない前記コンテンツアイテムに限定されることを特徴とする請求項７６記載の方法。
【請求項７８】
一時認可を受信することは、一時ドメインキーを受信することを含む請求項６５記載の方法。
【請求項７９】
前記１つ以上のコンピュータ装置のうち前記少なくとも１つのコンピュータ装置が前記第２のコンテンツドメイン内のコンテンツにアクセスするための一時認可を有する間、前記１つ以上のコンピュータ装置のうち前記少なくとも１つのコンピュータ装置は、前記第１のコンテンツドメイン内及び前記第２のコンテンツドメイン内の双方のコンテンツにアクセスするための認可を有することを特徴とする請求項６５記載の方法。
【請求項８０】
前記１つ以上のコンピュータ装置のうち前記少なくとも１つのコンピュータ装置が前記第２のコンテンツドメイン内のコンテンツにアクセスするための一時認可を有する間、前記第１のコンテンツドメイン内のコンテンツにアクセスするための前記１つ以上のコンピュータ装置のうちの少なくとも１つのコンピュータ装置の認可は一時停止されることを特徴とする請求項６５記載の方法。
【請求項８１】
コンピュータ可読命令を記憶する少なくとも１つのコンピュータ可読媒体であって、
前記コンピュータ可読命令は、１つ以上のコンピュータ装置により実行された場合、前記１つ以上のコンピュータ装置のうち少なくとも１つのコンピュータ装置に、
−第１のコンテンツドメイン内のコンテンツにアクセスすることを可能にさせ、
−第１のコンテンツドメイン内のコンテンツにアクセスするための認可を有するデバイスのユーザに関連付けられたユーザクレデンシャルを送信させ、
−前記ユーザクレデンシャルに関連付けられた前記ユーザが第２のコンテンツドメイン内のコンテンツにアクセスするためのライセンスを有するという判定に少なくとも一部基づいて、前記デバイスが前記第２のコンテンツドメイン内のコンテンツにアクセスするための一時認可を受信させる
ことを特徴とするコンピュータ可読媒体。
【請求項８２】
前記１つ以上のコンピュータ装置のうち少なくとも１つのコンピュータ装置と同一のネットワーク上にある少なくとも１つの追加のデバイスが前記第２のコンテンツドメイン内のコンテンツにアクセスすることを可能にする一時認可を前記１つ以上の追加のデバイスに付与することを更に含むことを特徴とする請求項８１記載のコンピュータ可読媒体。
【請求項８３】
１つ以上の予め設定された条件が発生した場合、前記一時認可は自動的に失効することを特徴とする請求項８１記載のコンピュータ可読媒体。
【請求項８４】
前記１つ以上の以前設定条件は、所定の期間が経過することを含むことを特徴とする請求項８３記載のコンピュータ可読媒体。
【請求項８５】
前記所定の期間は前記ユーザにより定義されることを特徴とする請求項８４記載のコンピュータ可読媒体。
【請求項８６】
前記１つ以上の予め設定された条件は、前記第２のコンテンツドメイン内のコンテンツアイテムにアクセスすることを含むことを特徴とする請求項８３記載のコンピュータ可読媒体。
【請求項８７】
前記１つ以上の予め設定された条件は、前記ユーザが前記デバイスから所定の距離だけ離れることを含むことを特徴とする請求項８３記載のコンピュータ可読媒体。
【請求項８８】
前記一時認可は、前記第２のコンテンツドメイン内の前記コンテンツのサブセットに対するアクセスを許可することを特徴とする請求項８１記載のコンピュータ可読媒体。
【請求項８９】
前記一時認可を永続認可に変換するための申し出を受信することを更に含むことを特徴とする請求項８１記載のコンピュータ可読媒体。
【請求項９０】
先行する一時認可が有効である場合、一時認可は受信されないことを特徴とする請求項８１記載のコンピュータ可読媒体。
【請求項９１】
前記ユーザクレデンシャルに関連付けられた前記ユーザ以外のユーザに属するライセンスに基づいて、前記第１のコンテンツドメインはアクセス可能であることを特徴とする請求項８１記載のコンピュータ可読媒体。
【請求項９２】
前記第２のコンテンツドメイン内にあり、前記第１のコンテンツドメイン内にはないコンテンツアイテムにアクセスしようとする試みの後に受信されるクレデンシャル要求に応答して、前記ユーザクレデンシャルは送信されることを特徴とする請求項８１記載のコンピュータ可読媒体。
【請求項９３】
前記一時認可は、前記第２のコンテンツドメイン内にあり、前記第１のコンテンツドメイン内にはない前記コンテンツアイテムに限定されることを特徴とする請求項９２記載のコンピュータ可読媒体。
【請求項９４】
一時認可を受信することは、一時ドメインキーを受信することを含むことを特徴とする請求項８１記載のコンピュータ可読媒体。
【請求項９５】
前記デバイスが前記第２のコンテンツドメイン内のコンテンツにアクセスするための認可を有する間、前記デバイスは、前記第１のコンテンツドメイン内及び前記第２のコンテンツドメイン内の双方のコンテンツにアクセスするための認可を有することを特徴とする請求項８１記載のコンピュータ可読媒体。
【請求項９６】
前記デバイスが前記第２のコンテンツドメイン内のコンテンツにアクセスするための認可を有する間、前記デバイスが前記第１のコンテンツドメイン内のコンテンツにアクセスするための認可は一時停止されることを特徴とする請求項８１記載のコンピュータ可読媒体。
【請求項９７】
コンテンツに対するアクセスを許可する装置であって、
１つ以上のプロセッサと、
前記１つ以上のプロセッサのうち少なくとも１つのプロセッサに動作可能に結合された１つ以上のメモリと
を備え、前記１つ以上のプロセッサのうち少なくとも１つのプロセッサにより実行された場合、前記１つ以上のプロセッサのうち少なくとも１つのプロセッサに、
コンテンツ記憶装置に記憶され、コンテンツドメイン内にあるコンテンツに対するアクセスを１つ以上のコンピュータ装置のうち少なくとも１つのコンピュータ装置が管理するときに前記コンテンツ記憶装置とローカルに接続されている第１のデバイスからユーザクレデンシャルを受信させ、
前記ユーザクレデンシャルと関連するユーザが第２のデバイスで前記コンテンツドメイン内のコンテンツをアクセスするためのライセンスを有するか否かを判定させ、
前記ユーザクレデンシャルと関連する前記ユーザが前記第２のデバイスで前記コンテンツドメイン内のコンテンツをアクセスするためのライセンスを有するという判定に少なくとも一部で基づいて、前記第１のデバイスが前記コンテンツドメイン内のコンテンツをアクセスするための一時認可を付与させる命令が前記１つ以上のメモリに記憶されていることを特徴とする装置。
【請求項９８】
１つ以上の予め設定された条件が発生した場合、前記一時認可は自動的に失効することを特徴とする請求項９７記載の装置。
【請求項９９】
前記１つ以上の予め設定された条件は、所定の期間が経過することを含むことを特徴とする請求項９８記載の装置
【請求項１００】
前記１つ以上の予め設定された条件は、前記コンテンツドメイン内のコンテンツアイテムをアクセスすることを含むことを特徴とする請求項９８記載の装置。
【請求項１０１】
前記１つ以上の予め設定された条件は、前記第１のデバイスが前記コンテンツ記憶装置から所定の距離だけ離れることを含むことを特徴とする請求項９８記載の装置。
【請求項１０２】
前記一時認可は、前記コンテンツドメイン内の前記コンテンツのサブセットに対する前記第１のデバイスのアクセスを許可することを特徴とする請求項９７記載の装置。
【請求項１０３】
前記第１のデバイスに一時認可を付与することは、前記第１のデバイスへ一時ドメインキーを送信することを含むことを特徴とする請求項９７記載の装置。
【請求項１０４】
コンテンツに対するアクセスを許可するために１つ以上のコンピュータ装置が実行するコンピュータに実装された方法であって、
コンテンツ記憶装置に記憶され、コンテンツドメイン内にあるコンテンツに対するアクセスを前記１つ以上のコンピュータ装置のうち少なくとも１つのコンピュータ装置が管理するとき、前記１つ以上のコンピュータ装置のうち少なくとも１つのコンピュータ装置により、前記コンテンツ記憶装置とローカルに接続されている第１のデバイスからユーザクレデンシャルを受信する工程と、
前記ユーザクレデンシャルと関連するユーザが第２のデバイスで前記コンテンツドメイン内のコンテンツをアクセスするためのライセンスを有するか否かを前記１つ以上のコンピュータ装置のうち少なくとも１つのコンピュータ装置により判定する工程と、
前記ユーザクレデンシャルと関連する前記ユーザが前記第２のデバイスで前記コンテンツドメイン内のコンテンツをアクセスするためのライセンスを有するという判定に少なくとも一部で基づいて、前記第１のデバイスが前記コンテンツドメイン内のコンテンツをアクセスするための一時認可を前記１つ以上のコンピュータ装置のうち少なくとも１つのコンピュータ装置により付与する工程と
を備えることを特徴とする方法。
【請求項１０５】
１つ以上の予め設定された条件が発生した場合、前記一時認可は自動的に失効することを特徴とする請求項１０４記載の方法。
【請求項１０６】
前記１つ以上の予め設定された条件は、所定の期間が経過することを含むことを特徴とする請求項１０５記載の方法。
【請求項１０７】
前記１つ以上の予め設定された条件は、前記コンテンツドメイン内のコンテンツアイテムをアクセスすることを含むことを特徴とする請求項１０５記載の方法。
【請求項１０８】
前記１つ以上の予め設定された条件は、前記第１のデバイスが前記コンテンツ記憶装置から所定の距離だけ離れることを含むことを特徴とする請求項１０５記載の方法。
【請求項１０９】
前記一時認可は、前記ユーザがライセンスを有する前記コンテンツドメイン内の前記コンテンツのサブセットに対する前記第１のデバイスのアクセスを許可することを特徴とする請求項１０４記載の方法。
【請求項１１０】
前記第１のデバイスに一時認可を付与することは、前記第１のデバイスへ一時ドメインキーを送信することを含むことを特徴とする請求項１０５記載の方法。
【請求項１１１】
少なくとも１つの非一時的コンピュータ可読媒体であって、
１つ以上のコンピュータ装置により実行された場合、前記１つ以上のコンピュータ装置のうち少なくとも１つのコンピュータ装置に、
コンテンツ記憶装置に記憶され、コンテンツドメイン内にあるコンテンツに対するアクセスを前記１つ以上のコンピュータ装置のうち少なくとも１つのコンピュータ装置が管理するとき、前記コンテンツ記憶装置とローカルに接続されている第１のデバイスからユーザクレデンシャルを受信させ、
前記ユーザクレデンシャルと関連するユーザが第２のデバイスで前記コンテンツドメイン内のコンテンツをアクセスするためのライセンスを有するか否かを判定させ、
前記ユーザクレデンシャルと関連する前記ユーザが前記第２のデバイスで前記コンテンツドメイン内のコンテンツをアクセスするためのライセンスを有するという判定に少なくとも一部で基づいて、前記コンテンツドメイン内のコンテンツをアクセスするための一時認可を前記第１のデバイスに付与させるコンピュータ可読命令を記憶することを特徴とする少なくとも１つの非一時的コンピュータ可読媒体。
【請求項１１２】
１つ以上の予め設定された条件が発生した場合、前記一時認可は自動的に失効することを特徴とする請求項１１１記載の少なくとも１つの非一時的コンピュータ可読媒体。
【請求項１１３】
前記１つ以上の予め設定された条件は、所定の期間が経過することを含むことを特徴とする請求項１１２記載の少なくとも１つの非一時的コンピュータ可読媒体。
【請求項１１４】
前記１つ以上の予め設定された条件は、前記コンテンツドメイン内のコンテンツアイテムをアクセスすることを含むことを特徴とする請求項１１２記載の少なくとも１つの非一時的コンピュータ可読媒体。
【請求項１１５】
前記１つ以上の予め設定された条件は、前記第１のデバイスが前記コンテンツ記憶装置から所定の距離だけ離れることを含むことを特徴とする請求項１１２記載の少なくとも１つの非一時的コンピュータ可読媒体。
【請求項１１６】
前記一時認可は、前記コンテンツドメイン内の前記コンテンツのサブセットに対する前記第１のデバイスのアクセスを許可することを特徴とする請求項１１１記載の少なくとも１つの非一時的コンピュータ可読媒体。
【請求項１１７】
前記第１のデバイスに一時認可を付与することは、前記第１のデバイスへ一時ドメインキーを送信することを含むことを特徴とする請求項１１１記載の少なくとも１つの非一時的コンピュータ可読媒体。
【請求項１１８】
コンテンツに対するアクセスを取得する装置であって、
１つ以上のプロセッサと、
前記１つ以上のプロセッサのうち少なくとも１つのプロセッサに動作可能に結合された１つ以上のメモリと
を備え、前記１つ以上のプロセッサのうち少なくとも１つのプロセッサにより実行された場合、前記１つ以上のプロセッサのうち少なくとも１つのプロセッサに、
コンテンツ記憶装置に記憶され、コンテンツドメイン内にあるコンテンツに対するアクセスを少なくとも１つのコンピュータ装置のうち少なくとも１つのコンピュータ装置が管理するとき、前記コンテンツ記憶装置とローカルに接続されている第１のデバイスから、前記１つ以上のコンピュータ装置のうち少なくとも１つのコンピュータ装置へユーザクレデンシャルを送信させ、
前記ユーザクレデンシャルと関連するユーザが前記第１のデバイスとは別の第２のデバイスで前記コンテンツドメイン内のコンテンツをアクセスするためのライセンスを有するという判定に少なくとも一部で基づいて、前記第１のデバイスが前記コンテンツドメイン内のコンテンツをアクセスするための一時認可を受信させる命令が前記１つ以上のメモリに記憶されていることを特徴とする装置。
【請求項１１９】
１つ以上の予め設定された条件が発生した場合、前記一時認可は自動的に失効することを特徴とする請求項１１８記載の装置。
【請求項１２０】
前記１つ以上の予め設定された条件は、所定の期間が経過することを含むことを特徴とする請求項１１９記載の装置。
【請求項１２１】
前記１つ以上の予め設定された条件は、前記コンテンツドメイン内のコンテンツアイテムをアクセスすることを含むことを特徴とする静空港１１９記載の装置。
【請求項１２２】
前記１つ以上の予め設定された条件は、前記ユーザが前記コンテンツ記憶装置から所定の距離だけ離れることを含むことを特徴とする請求項１１９記載の層非。
【請求項１２３】
前記一時認可は、前記コンテンツドメイン内の前記コンテンツのサブセットに対するアクセスを許可することを特徴とする請求項１１８記載の装置。
【請求項１２４】
一時認可を受信することは、一時ドメインキーを受信することを含むことを特徴とする請求項１１８記載の装置。
【請求項１２５】
コンテンツに対するアクセスを取得するために１つ以上の第１のコンピュータ装置が実行するコンピュータに実装された方法であって、
少なくとも１つの第２のコンピュータ装置がコンテンツ記憶装置に記憶され、コンテンツドメイン内にあるコンテンツに対するアクセスを前記１つ以上の第２のコンピュータ装置のうち少なくとも１つの第２のコンピュータ装置が管理し、善意１つ以上の第１のコンピュータ装置のうち少なくとも１つの第１のコンピュータ装置及び前記コンテンツ記憶装置がローカルに接続されているとき、前記１つ以上の第１のコンピュータ装置のうち少なくとも１つの第１のコンピュータ装置によりユーザクレデンシャルを送信する工程と、
前記ユーザクレデンシャルと関連するユーザが前記方法を実行している前記１つ以上の第１のコンピュータ装置とは別のコンピュータ装置で前記コンテンツドメイン内のコンテンツをアクセスするためのライセンスを有するという判定に少なくとも一部で基づいて、前記１つ以上の第１のコンピュータ装置のうち少なくとも１つの第１のコンピュータ装置が前記コンテンツドメイン内のコンテンツをアクセスするための一時認可を前記１つ以上の第１のコンピュータ装置のうち少なくとも１つのコンピュータ装置により受信する工程と
を備えることを特徴とする方法。
【請求項１２６】
１つ以上の予め設定された条件が発生した場合、前記一時認可は自動的に失効することを特徴とする請求項１２５記載の方法。
【請求項１２７】
前記１つ以上の予め設定された条件は、所定の期間が経過することを含むことを特徴とする請求項１２６記載の方法。
【請求項１２８】
前記１つ以上の予め設定された条件は、前記コンテンツドメイン内のコンテンツアイテムをアクセスすることを含むことを特徴とする請求項１２６記載の方法。
【請求項１２９】
前記１つ以上の予め設定された条件は、前記ユーザが前記コンテンツ記憶装置から所定の距離だけ離れることを含むことを特徴とする請求項１２６記載の方法。
【請求項１３０】
前記一時認可は、前記コンテンツドメイン内の前記コンテンツのサブセットに対するアクセスを許可することを特徴とする請求項１２５記載の方法。
【請求項１３１】
一時認可を受信する工程は、一時ドメインキーを受信することを含むことを特徴とする請求項１２５記載の方法。
【請求項１３２】
少なくとも１つの非一時的コンピュータ可読媒体であって、
１つ以上の第１のコンピュータ装置により実行された場合、前記１つ以上の大のコンピュータ装置のうち少なくとも１つの第１のコンピュータ装置に、
コンテンツ記憶装置に記憶され、コンテンツドメインにあるコンテンツに対するアクセスを１つ以上の第２のコンピュータ装置のうち少なくとも１つの第２のコンピュータ装置が管理し、前記１つ以上の第１のコンピュータ装置のうち少なくとも１つの第１のコンピュータ装置及び前記コンテンツ記憶装置がローカルに接続されているとき、前記１つ以上の第１のコンピュータ装置のうち少なくとも１つの第１のコンピュータ装置から前記１つ以上の第２のコンピュータ装置のうち少なくとも１つの第２のコンピュータ装置へユーザクレデンシャルを送信させ、
前記ユーザクレデンシャルと関連するユーザが前記１つ以上の第１のコンピュータ装置とは別のデバイスで前記コンテンツドメイン内のコンテンツをアクセスするためのライセンスを有するという判定に少なくとも一部で基づいて、前記１つ以上の第１のコンピュータ装置のうち少なくとも１つの第１のコンピュータ装置が前記コンテンツドメイン内のコンテンツをアクセスするための一時認可を受信させるコンピュータ可読命令を記憶することを特徴とする少なくとも１つの非一時的コンピュータ可読媒体。
【請求項１３３】
１つ以上の予め設定された条件が発生した場合、前記一時認可は自動的に失効することを特徴とする請求項１３２記載の少なくとも１つの非一時的コンピュータ可読媒体。
【請求項１３４】
前記１つ以上の予め設定された条件は、所定の期間が経過することを含むことを特徴とする請求項１３３記載の少なくとも１つの非一時的コンピュータ可読媒体。
【請求項１３５】
前記１つ以上の予め設定された条件は、前記コンテンツドメイン内のコンテンツアイテムをアクセスすることを含むことを特徴とする請求項１３３記載の少なくとも１つの非一時的コンピュータ可読媒体。
【請求項１３６】
前記１つ以上の予め設定された条件は、前記１つ以上の第１のコンピュータ装置のうち少なくとも１つの第１のコンピュータ装置が前記コンテンツ記憶装置から所定の距離だけ離れることを含むことを特徴とする請求項１３３記載の少なくとも１つの非一時的コンピュータ可読媒体。
【請求項１３７】
前記一時認可は、前記コンテンツドメイン内の前記コンテンツのサブセットに対するアクセスを許可することを特徴とする請求項１３２記載の少なくとも１つの非一時的コンピュータ可読媒体。
【請求項１３８】
一時認可を受信することは、一時ドメインキーを受信することを含むことを特徴とする請求項１３２記載の少なくとも１つの非一時的コンピュータ可読媒体。
【請求項１３９】
コンテンツに対するアクセスを取得する装置であって、
１つ以上のプロセッサと、
前記１つ以上のプロセッサのうち少なくとも１つのプロセッサに動作可能に結合された１つ以上のメモリと
を備え、前記１つ以上のプロセッサのうち少なくとも１つのプロセッサにより実行された場合、前記１つ以上のプロセッサのうち少なくとも１つのプロセッサに、
ユーザがコンテンツドメイン内のコンテンツに対するライセンスを持たず、従って前記コンテンツをアクセスすることが不可能であるとき、前記コンテンツドメイン内の前記コンテンツを受信させ、
前記ユーザがライセンスを持たない前記コンテンツドメイン内の前記コンテンツをアクセスすることを前記ユーザが希望していることを示す情報を送信させ、
一時認可が失効するまで前記ユーザが前記コンテンツドメイン内の前記コンテンツをアクセスすることを可能にする一時認可を受信させる命令が前記１つ以上のメモリに記憶されていることを特徴とする装置。
【請求項１４０】
前記コンテンツ及び前記一時認可は同一のコンピュータシステムから受信されることを特徴とする請求項１３９記載の装置。
【請求項１４１】
前記コンテンツ及び前記一時認可は異なるコンピュータシステムから受信されることを特徴とする請求項１３９記載の装置。
【請求項１４２】
１つ以上の条件が発生した場合、前記コンテンツは受信されることを特徴とする請求項１３９記載の装置。
【請求項１４３】
前記１つ以上の条件は、前記ユーザと関連するデバイスが前記コンテンツをホストするコンピュータシステムから所定の距離内にあることを含むことを特徴とする請求項１４２記載の装置。
【請求項１４４】
前記１つ以上の条件は、ユーザが前記コンテンツのダウンロードを要求することを含むことを特徴とする請求項１４２記載の装置。
【請求項１４５】
前記１つ以上の条件は、前記ユーザが前記コンテンツの受信を申し込むことを含むことを特徴とする請求項１４２記載の装置。
【請求項１４６】
前記情報は、前記コンテンツをアクセスするための申し出を受信するのに応答して送信されることを特徴とする請求項１３９記載の装置。
【請求項１４７】
前記コンテンツ及び前記コンテンツをアクセスするための申し出は、２つの異なるコンピュータシステムから受信されることを特徴とする請求項１４６記載の装置。
【請求項１４８】
１つ以上の予め設定された条件が発生した場合、前記一時認可は自動的に失効することを特徴とする請求項１３９記載の装置。
【請求項１４９】
前記１つ以上の予め設定された条件は、所定の期間が経過することを含むことを特徴とする請求項１４８記載の装置。
【請求項１５０】
前記１つ以上の予め設定された条件は、前記コンテンツドメイン内のコンテンツアイテムをアクセスすることを含むことを特徴とする請求項１４８記載の装置。
【請求項１５１】
少なくとも１つの非一時的コンピュータ可読媒体であって、
１つ以上のコンピュータ装置により実行された場合、前記１つ以上のコンピュータ装置のうち少なくとも１つのコンピュータ装置に、
ユーザがコンテンツドメイン内のコンテンツに関するライセンスを持たず、従って前記コンテンツをアクセスすることが不可能であるとき、前記コンテンツドメイン内のコンテンツを受信させ、
前記ユーザがライセンスを持たない前記コンテンツドメイン内の前記コンテンツをアクセスすることを前記ユーザが希望していることを示す情報を送信させ、
一認可が失効するまで前記ユーザが前記コンテンツドメイン内の前記コンテンツをアクセスすることを可能にする一時認可を受信させるコンピュータ可読命令を記憶することを特徴とする少なくとも１つの非一時的コンピュータ可読媒体。
【請求項１５２】
前記コンテンツ及び前記一時認可は同一のコンピュータシステムから受信されることを特徴とする請求項１５１記載の少なくとも１つの非一時的コンピュータ可読媒体。
【請求項１５３】
前記コンテンツ及び前記一時認可は異なるコンピュータシステムから受信されることを特徴とする請求項１５１記載の少なくとも１つの非一時的コンピュータ可読媒体。
【請求項１５４】
１つ以上の条件が発生した場合、前記コンテンツは受信されることを特徴とする請求項１５１記載の少なくとも１つの非一時的コンピュータ可読媒体。
【請求項１５５】
前記１つ以上の条件は、前記ユーザと関連するデバイスが前記コンテンツをホストするコンピュータシステムから所定の距離内にあることを含むことを特徴とする請求項１５４記載の少なくとも１つの非一時的コンピュータ可読媒体。
【請求項１５６】
前記１つ以上の条件は、前記ユーザが前記コンテンツのダウンロードを要求することを含むことを特徴とする請求項１５４記載の少なくとも１つの非一時的コンピュータ可読媒体。
【請求項１５７】
前記１つ以上の条件は、前記ユーザが前記コンテンツの受信を申し込むことを含むことを特徴とする請求項１５１記載の少なくとも１つの非一時的コンピュータ可読媒体。
【請求項１５８】
前記情報は、前記コンテンツをアクセスするための申し出の受信に応答して送信されることを特徴とする請求項１５１記載の少なくとも１つの非一時的コンピュータ可読媒体。
【請求項１５９】
前記コンテンツ及び前記コンテンツをアクセスするための前記申し出は２つの異なるコンピュータシステムから受信されることを特徴とする請求項１５８記載の少なくとも１つの非一時的コンピュータ可読媒体。
【請求項１６０】
１つ以上の予め設定された条件が発生した場合、前記一時認可は自動的に失効することを特徴とする請求項１５１記載の少なくとも１つの非一時的コンピュータ可読媒体。
【請求項１６１】
前記１つ以上の予め設定された条件は、所定の期間が経過することを含むことを特徴とする請求項１６０記載の少なくとも１つの非一時的コンピュータ可読媒体。
【請求項１６２】
前記１つ以上の予め設定された条件は、前記コンテンツドメイン内のコンテンツアイテムをアクセスすることを含むことを特徴とする請求項１６０記載の少なくとも１つの非一時的コンピュータ可読媒体。
【請求項１６３】
コンテンツに対するアクセスを取得するために１つ以上のコンピュータ装置が実行するコンピュータに実装された方法であって、
ユーザがコンテンツドメイン内のコンテンツに関するライセンスを持たず、従って前記コンテンツをアクセスすることが不可能である場合、前記コンテンツドメイン内の前記コンテンツを前記１つ以上のコンピュータ装置のうち少なくとも１つのコンピュータ装置により受信する工程と、
前記ユーザが前記コンテンツドメイン内の前記コンテンツをアクセスすることを希望していることを示す情報を前記１つ以上のコンピュータ装置のうち少なくとも１つのコンピュータ装置により送信する工程と、
一時認可が失効するまで前記ユーザが前記コンテンツドメイン内の前記コンテンツをアクセスすることを可能にする一時認可を前記１つ以上のコンピュータ装置のうち少なくとも１つのコンピュータ装置により受信する工程と
を備えることを特徴とする方法。
【請求項１６４】
前記コンテンツ及び前記一時認可は同一のコンピュータシステムから受信されることを特徴とする請求項１６３記載の方法。
【請求項１６５】
前記コンテンツ及び前記一時認可は異なるコンピュータシステムから受信されることを特徴とする請求項１６３記載の方法。
【請求項１６６】
１つ以上の条件が発生した場合、前記コンテンツは受信されることを特徴とする請求項１６３記載の方法。
【請求項１６７】
前記１つ以上の条件は、前記ユーザと関連するデバイスが前記コンテンツをホストするコンピュータシステムから所定の距離内にあることを含むことを特徴とする請求項１６６記載の方法。
【請求項１６８】
前記１つ以上の条件は、前記ユーザが前記コンテンツのダウンロードを要求することを含むことを特徴とする請求項１６６記載の方法。
【請求項１６９】
前記１つ以上の条件は、前記ユーザが前記コンテンツの受信を申し込むことを含むことを特徴とする請求項１６６記載の方法。
【請求項１７０】
前記情報は、前記コンテンツをアクセスするための申し出が受信された時点で送信されることを特徴とする請求項１６３記載の方法。
【請求項１７１】
前記コンテンツ及び前記コンテンツをアクセスするための前記申し出は２つの異なるコンピュータシステムから受信されることを特徴とする請求項１７０記載の方法。
【請求項１７２】
１つ以上の予め設定された条件が発生した場合、前記一時認可は自動的に失効することを特徴とする請求項１６３記載の方法。
【請求項１７３】
前記１つ以上の予め設定された条件は、所定の期間が経過することを含むことを特徴とする請求項１７２記載の方法。
【請求項１７４】
前記１つ以上の予め設定された条件は、前記コンテンツドメイン内のコンテンツアイテムをアクセスすることを含むことを特徴とする請求項１７２記載の方法。
【請求項１７５】
コンテンツに対するアクセスを許可する装置であって、
１つ以上のプロセッサと、
前記１つ以上のプロセッサのうち少なくとも１つのプロセッサに動作可能に結合された１つ以上のメモリと
を備え、前記１つ以上のプロセッサのうち少なくとも１つのプロセッサにより実行された場合、前記１つ以上のプロセッサのうち少なくとも１つのプロセッサに、
ユーザデバイスに記憶され、コンテンツドメイン内にあるダウンロード済みコンテンツに関するライセンスをユーザが持たず、従って前記コンテンツドメイン内の前記コンテンツをアクセスすることが不可能であるとき、前記ユーザが前記コンテンツをアクセスすることを希望していることを示す情報を受信させ、
一時認可が失効するまで前記ユーザが前記ユーザデバイスで前記コンテンツドメイン内の前記コンテンツをアクセスすることを可能にする一時認可を前記ユーザデバイスへ送信させる命令が前記１つ以上のメモリに記憶されていることを特徴とする装置。
【請求項１７６】
前記コンテンツは、前記一時認可を送信するのと同一のコンピュータシステムからダウンロードされることを特徴とする請求項１７４記載の装置。
【請求項１７７】
前記コンテンツは、前記一時認可を送信するコンピュータシステムとは異なるコンピュータシステムからダウンロードされることを特徴とする請求項１７４記載の装置。
【請求項１７８】
１つ以上の条件が発生した場合、前記コンテンツはダウンロードされることを特徴とする請求項１７５記載の装置。
【請求項１７９】
前記１つ以上の条件は、前記ユーザデバイスが前記コンテンツをホストするコンピュータシステムから所定の距離内にあることを含むことを特徴とする請求項１７８記載の装置。
【請求項１８０】
前記１つ以上の条件は、前記ユーザが前記コンテンツのダウンロードを要求することを含むことを特徴とする請求項１７８記載の装置。
【請求項１８１】
前記１つ以上の条件は、延期ユーザが前記コンテンツの受信を申し込むことを含むことを特徴とする請求項１７８記載の装置。
【請求項１８２】
前記情報は、前記コンテンツをアクセスするための申し出を前記ユーザデバイスへ送信するのに応答して受信されることを特徴とする請求項１７５記載の装置。
【請求項１８３】
前記コンテンツは、前記申し出を送信するコンピュータシステムとは異なるコンピュータシステムからダウンロードされることを特徴とする請求項１８２記載の装置。
【請求項１８４】
１つ以上の予め設定された条件が発生した場合、前記一時認可は自動的に失効することを特徴とする請求項１７５記載の装置。
【請求項１８５】
前記１つ以上の予め設定された条件は、所定の期間が経過することを含むことを特徴とする請求項１８４記載の装置。
【請求項１８６】
前記１つ以上の予め設定された条件は、前記コンテンツドメイン内のコンテンツアイテムをアクセスすることを含むことを特徴とする請求項１８４記載の装置。
【請求項１８７】
少なくとも１つの非一時的コンピュータ可読媒体であって、
１つ以上のコンピュータ装置により実行された場合、前記１つ以上のコンピュータ装置のうち少なくとも１つのコンピュータ装置に、
ユーザデバイスに記憶され、コンテンツドメイン内にあるダウンロード済みコンテンツに関するライセンスをユーザが持たず、従って前記コンテンツをアクセスすることが不可能であるとき、前記ユーザが前記コンテンツをアクセスすることを希望していることを示す情報を受信させ、
一時認可が失効するまで前記ユーザが前記ユーザデバイスで前記コンテンツドメイン内の前記コンテンツをアクセスすることを可能にする一時認可を送信させるコンピュータ可読命令を記憶することを特徴とする少なくとも１つの非一時的コンピュータ可読媒体。
【請求項１８８】
前記コンテンツは、前記一時認可を送信するのと同一のコンピュータシステムからダウンロードされることを特徴とする請求項１８７記載の少なくとも１つの非一時的コンピュータ可読媒体。
【請求項１８９】
前記コンテンツは、前記一時認可を送信するコンピュータシステムとは異なるコンピュータシステムからダウンロードされることを特徴とする請求項１８７記載の少なくとも１つの非一時的コンピュータ可読媒体。
【請求項１９０】
１つ以上の条件が発生した場合、前記コンテンツはダウンロードされることを特徴とする請求項１８７記載の少なくとも１つの非一時的コンピュータ可読媒体。
【請求項１９１】
前記１つ以上の条件は、前記ユーザデバイスが前記コンテンツをホストするコンピュータシステムから所定の距離内にあることを含むことを特徴とする請求項１９０記載の少なくとも１つの非一時的コンピュータ可読媒体。
【請求項１９２】
前記１つ以上の条件は、前記ユーザが前記コンテンツのダウンロードを要求することを含むことを特徴とする請求項１９０記載の少なくとも１つの非一時的コンピュータ可読媒体。
【請求項１９３】
前記１つ以上の条件は、前記ユーザが前記コンテンツの受信を申し込むことを含むことを特徴とする請求項１９０記載の少なくとも１つの非一時的コンピュータ可読媒体。
【請求項１９４】
前記情報は、前記コンテンツをアクセスするための申し出を前記ユーザデバイスへ送信するのに応答して受信されることを特徴とする請求項１８７記載の少なくとも１つの非一時的コンピュータ可読媒体。
【請求項１９５】
前記コンテンツは、前記申し出を送信するコンピュータシステムとは異なるコンピュータシステムからダウンロードされることを特徴とする請求項１９４記載の少なくとも１つの非一時的コンピュータ可読媒体。
【請求項１９６】
１つ以上の予め設定された条件が発生した場合、前記一時認可は自動的に失効することを特徴とする請求項１８７記載の少なくとも１つの非一時的コンピュータ可読媒体。
【請求項１９７】
前記１つ以上の予め設定された条件は、所定の期間が経過することを含むことを特徴とする請求項１９６記載の少なくとも１つの非一時的コンピュータ可読媒体。
【請求項１９８】
前記１つ以上の予め設定された条件は、前記コンテンツドメイン内のコンテンツアイテムをアクセスすることを含むことを特徴とする請求項１９６記載の少なくとも１つの非一時的コンピュータ可読媒体。
【請求項１９９】
コンテンツに対するアクセスを許可するために１つ以上のコンピュータ装置が実行するコンピュータに実装された方法であって、
ユーザデバイスに記憶され、コンテンツドメイン内にあるダウンロード済みコンテンツに関するライセンスをユーザが持たず、従って前記コンテンツをアクセスすることが不可能であるとき、前記ユーザが前記コンテンツをアクセスすることを希望していることを示す情報を前記１つ以上のコンピュータ装置のうち少なくとも１つのコンピュータ装置により受信する工程と、
一時認可が失効するまで前記ユーザが前記ユーザデバイスで前記コンテンツドメイン内の前記コンテンツをアクセスすることを可能にする一時認可を前記１つ以上のコンピュータ装置のうち少なくとも１つのコンピュータ装置により送信する工程と
を備えることを特徴とする方法。
【請求項２００】
前記コンテンツは、前記一時認可を送信するのと同一のコンピュータシステムからダウンロードされることを特徴とする請求項１９９記載の方法。
【請求項２０１】
前記コンテンツは、前記一時認可を送信するコンピュータシステムとは異なるコンピュータシステムからダウンロードされることを特徴とする請求項１９９記載の方法。
【請求項２０２】
１つ以上の条件が発生した場合、前記コンテンツはダウンロードされることを特徴とする請求項１９９記載の方法。
【請求項２０３】
前記１つ以上の条件は、前記ユーザデバイスが前記コンテンツをホストするコンピュータシステムから所定の距離内にあることを含むことを特徴とする請求項２０２記載の方法。
【請求項２０４】
前記１つ以上の条件は、前記ユーザが前記コンテンツのダウンロードを要求することを含むことを特徴とする請求項２０２記載の方法。
【請求項２０５】
前記１つ以上の条件は、前記ユーザが前記コンテンツの受信を申し込むことを含むことを特徴とする請求項２０２記載の方法。
【請求項２０６】
前記指示は、前記コンテンツをアクセスするための申し出を前記ユーザデバイスへ送信するのに応答して受信されることを特徴とする請求項１９９記載の方法。
【請求項２０７】
前記コンテンツは、前記申し出を送信するコンピュータシステムとは異なるコンピュータシステムからダウンロードされることを特徴とする請求項２０６記載の方法。
【請求項２０８】
１つ以上の予め設定された条件が発生した場合、前記一時認可は自動的に失効することを特徴とする請求項１９９記載の方法。
【請求項２０９】
前記１つ以上の予め設定された条件は、所定の期間が経過することを含むことを特徴とする請求項２０８記載の方法。
【請求項２１０】
前記１つ以上の予め設定された条件は、前記コンテンツドメイン内のコンテンツアイテムをアクセスすることを含むことを特徴とする請求項２０８記載の方法。
【請求項２１１】
コンテンツに対するアクセスを取得する装置であって、
１つ以上のプロセッサと、
前記１つ以上のプロセッサのうち少なくとも１つのプロセッサに動作可能に結合された、命令を記憶する１つ以上のメモリと
を備え、
前記命令は、前記１つ以上のプロセッサのうち少なくとも１つのプロセッサにより実行された場合、前記１つ以上のプロセッサのうち少なくとも１つのプロセッサに、
−第１のユーザに関連付けられた第１のコンテンツドメイン及び第２のユーザに関連付けられた第２のコンテンツドメインに対応するデータを記憶させ、
−前記第１のコンテンツドメイン内の各コンテンツアイテムと、前記第２のコンテンツドメイン内の１つ以上のコンテンツアイテムと、に関連付けられたコンテンツ標識を表示させ、
デバイスが、前記第１のコンテンツドメイン内のコンテンツにアクセスするための認可と、前記第２のコンテンツドメイン内の１つ以上のコンテンツアイテムにアクセスするための一時認可と、を有し、
前記第２のコンテンツドメイン内の前記１つ以上のコンテンツアイテムに関連付けられた前記コンテンツ標識は、前記１つ以上のアイテムが前記第２のコンテンツドメイン内にあると識別する情報を含む
ことを特徴とする装置。
【請求項２１２】
１つ以上の予め設定された条件が発生した場合、前記一時認可は自動的に失効することを特徴とする請求項２１１記載の装置。
【請求項２１３】
前記１つ以上の予め設定された条件は、所定の期間が経過することを含むことを特徴とする請求項２１２記載の装置。
【請求項２１４】
前記１つ以上の予め設定された条件は、前記第２のコンテンツドメイン内のコンテンツアイテムにアクセスすることを含むことを特徴とする請求項２１２記載の装置。
【請求項２１５】
前記第１のユーザ及び前記第２のユーザは共に前記デバイスのユーザであり、前記第１のドメイン内及び前記第２のドメイン内の前記コンテンツは前記デバイスに記憶されていることを特徴とする請求項２１１記載の装置。
【請求項２１６】
前記１つ以上のアイテムを前記第２のコンテンツドメイン内にあると識別する前記情報は、前記第２のユーザを識別する情報を含むことを特徴とする請求項２１１記載の装置。
【請求項２１７】
前記第１のユーザ及び前記第２のユーザは同一のユーザであることを特徴とする請求項２１１記載の装置。
【請求項２１８】
コンピュータ可読命令を記憶する少なくとも１つのコンピュータ可読媒体であって、
前記コンピュータ可読命令は、１つ以上のコンピュータ装置のうち少なくとも１つのコンピュータ装置により実行された場合、前記１つ以上のコンピュータ装置のうち少なくとも１つのコンピュータ装置に、
−第１のユーザに関連付けられた第１のコンテンツドメイン及び第２のユーザに関連付けられた第２のコンテンツドメインに対応するデータを記憶させ、
−前記第１のコンテンツドメイン内の各コンテンツアイテムと、前記第２のコンテンツドメイン内の１つ以上のコンテンツアイテムと、に関連付けられたコンテンツ標識を表示させ、
デバイスが、前記第１のコンテンツドメイン内のコンテンツにアクセスするための認可と、前記第２のコンテンツドメイン内の１つ以上のコンテンツアイテムにアクセスするための一時認可と、を有し、
前記第２のコンテンツドメイン内の前記１つ以上のコンテンツアイテムに関連付けられた前記コンテンツ標識は、前記１つ以上のアイテムが前記第２のコンテンツドメイン内にあると識別する情報を含む
ことを特徴とするコンピュータ可読媒体。
【請求項２１９】
１つ以上の予め設定された条件が発生した場合、前記一時認可は自動的に失効することを特徴とする請求項２１８記載のコンピュータ可読媒体。
【請求項２２０】
前記１つ以上の予め設定された条件は、所定の期間が経過することを含むことを特徴とする請求項２１９記載のコンピュータ可読媒体。
【請求項２２１】
前記１つ以上の予め設定された条件は、前記選択されたコンテンツ標識に関連付けられた前記コンテンツドメイン内のコンテンツアイテムにアクセスすることを含むことを特徴とする請求項２１９記載のコンピュータ可読媒体。
【請求項２２２】
前記第１のユーザ及び前記第２のユーザは共に前記デバイスのユーザであり、前記第１のドメイン内及び前記第２のドメイン内の前記コンテンツは前記デバイスに記憶されていることを特徴とする請求項２１８記載のコンピュータ可読媒体。
【請求項２２３】
前記１つ以上のアイテムが前記第２のコンテンツドメイン内にあると識別する前記情報は、前記第２のユーザを識別する情報を含むことを特徴とする請求項２１８記載のコンピュータ可読媒体。
【請求項２２４】
前記第１のユーザ及び前記第２のユーザは同一のユーザであることを特徴とする請求項２１８記載のコンピュータ可読媒体。
【請求項２２５】
コンテンツに対するアクセスを取得するために１つ以上のコンピュータ装置が実行するコンピュータに実装された方法であって、
前記１つ以上のコンピュータ装置のうち少なくとも１つのコンピュータ装置が、
−第１のユーザに関連付けられた第１のコンテンツドメイン及び第２のユーザに関連付けられた第２のコンテンツドメインに対応するデータを記憶する工程と、
−前記第１のコンテンツドメイン内の各コンテンツアイテムと、前記第２のコンテンツドメイン内の１つ以上のコンテンツアイテムと、に関連付けられたコンテンツ標識を表示する工程と
を備え、
前記１つ以上のコンピュータ装置のうち少なくとも１つのコンピュータ装置が、前記第１のコンテンツドメイン内のコンテンツにアクセスするための認可と、前記第２のコンテンツドメイン内の１つ以上のコンテンツアイテムにアクセスするための一時認可と、を有し、
前記第２のコンテンツドメイン内の前記１つ以上のコンテンツアイテムに関連付けられた前記コンテンツ標識は、前記１つ以上のアイテムが前記第２のコンテンツドメイン内にあると識別する情報を含む
ことを特徴とする方法。
【請求項２２６】
１つ以上の予め設定された条件が発生した場合、前記一時認可は自動的に失効することを特徴とする請求項２２５記載の方法。
【請求項２２７】
前記１つ以上の予め設定された条件は、所定の期間が経過することを含むことを特徴とする請求項２２６記載の方法。
【請求項２２８】
前記１つ以上の予め設定された条件は、前記第２のコンテンツ内のコンテンツアイテムにアクセスすることを含むことを特徴とする請求項２２６記載の方法。
【請求項２２９】
前記第１のユーザ及び前記第２のユーザは、共に前記１つ以上のコンピュータ装置のうち少なくとも１つのコンピュータ装置のユーザであり、前記第１のドメイン内及び前記第２のドメイン内の前記コンテンツは、前記１つ以上のコンピュータ装置のうち少なくとも１つのコンピュータ装置に記憶されていることを特徴とする請求項２２５記載の方法。
【請求項２３０】
前記１つ以上のアイテムが前記第２のコンテンツドメイン内にあることを識別する前記情報は、前記第２のユーザを識別する情報を含むことを特徴とする請求項２２５記載の方法。
【請求項２３１】
前記第１のユーザ及び前記第２のユーザは同一のユーザであることを特徴とする請求項２２５記載の方法。
【発明の詳細な説明】
【背景技術】
【０００１】
本出願は、２０１２年２月１０日出願の米国特許出願第６１／５９７，６７９号に対して優先権を主張し、また、２００４年１１月１８日出願の米国特許出願第１０／９９０，７５５号の一部継続出願である２０１３年２月８日出願の米国特許出願第１３／７６３，００２号に対して更に優先権を主張する。これらすべての特許出願の開示内容は、本明細書に参考としてそのまま取り入れられている。
【０００２】
近年、単方向ブロードキャスト配信の形のデジタルコンテンツ配信の成長に陰りが出ており、ＣＤ、ＤＶＤなどの物理的媒体を介するコンテンツの提供も下降気味である。１つには、ユーザが以前より多くの場所で以前より多くのデバイスを所有するようになり、ある時点で最も都合のよいデバイスでいつでも、どこでもコンテンツのアクセスを要求するようになったことにより、双方向優先ネットワーク及び双方向無線ネットワークを介する送信が増加する傾向にある。衛星配信及びケーブル配信（まとめて「ＤＴＨ」）などのより普及している従来型のダイレクトトゥホームブロードキャスト配信方式は、ユーザのより豊富な対話型オンデマンド体験を支援するために、更に多くのバックチャネルを開発しなければならなかった。音楽も、従来のラジオに代わる成長株の対話型サービスであることがわかっている。
【０００３】
現在のビデオオンデマンド（「ＶＯＤ」）サービスによって、サービスプロバイダは、コンテンツがジャストインタイムで配信され、また、高価値のコンテンツの一時的なコピー及び部分的なコピーのみがローカルに記憶されるためにコンテンツ保護が簡単になるストリーミングシナリオに目を向けるようになってきた。このシナリオでは、個別の要求に応じて、サーバが各ストリームをそれぞれのデバイスに適応する形にすることができるので、サービスプロバイダが多様な種類のデバイスにコンテンツを配信するのに効果的である。
【０００４】
しかし、現在のストリーミングサービスには、いくつかの欠点がある。多くのストリーミングコンテンツ配信システムは、特定の認可済みデバイスとの間でのみ適合性を有する独占的なデジタル著作権管理（「ＤＲＭ」）方式を採用している。このような「ウォールドガーデン」の場合、デバイスの不適合が起こり、コンテンツ供給源が制限されたり、市場における競争の利益が低減されるなどの問題が起こる。その結果、そのようなウォールドガーデンに封じ込められたユーザは、都合のよい方法でコンテンツを共有すること又はウォールドガーデンからコンテンツを取り出し、異なるシステムへ移動させることができない。
【０００５】
現在のストリーミングサービスの別の欠点は、一度に限られた数のデバイスしか認可されないことである。例えば、デバイスにコンテンツを視聴するための認可を行うために、多くのサービスは、１つのサーバでデバイスＩＤ情報を収集するか又はローカルデバイスのキャッシュにトークンを導入する。このような形でデバイスの認可を実現すると、限られた認可群を管理するために、ユーザは煩雑な管理タスクの負担を負うことになる。更に、従来の技術では、一度に１回のユーザログインしか許されない。ユーザが第２のデバイスにログインした場合、第１のデバイスの認可は期限切れになる。
【０００６】
公知の認可機構の場合、ユーザは、デバイスの認可解除を能動的に管理しなければならない。システムによっては、一度に許されるアカウントごとの認可の数が制限されるが、認可解除及び新たな認可の数は無制限に許される。他のシステムでは、認可解除の回数は、例えば一年に数回に限定される。
【０００７】
更に、既存の多くのＤＲＭ方式では、デバイスを１つのドメインから別のドメインへ移動させた場合、そのデバイスが第２のドメインについて認可されている間、第１のドメインの旧コンテンツをすべて除去するか又はアクセス不可能な状態にしておかなければならない。例えば、ｉＴｕｎｅｓ（登録商標）映画レンタル方式によれば、ユーザのドメインと関連付けられた５台までのコンピュータで映画を再生できるが、デバイスの１つが別のドメインと関連付けられると、第１のドメインのコンテンツはアクセス不可能にされる。このような方式により、物理的媒体により課される限界を越えるようなユーザ体験は制限される。例えば、ユーザがＣＤを受け取った場合、ユーザは、ユーザ独自のドメインから由来したコンテンツに対するアクセスを失わない。
【０００８】
従って、ユーザが手動操作でデバイスの認可を管理する必要なく複数のデバイスで複数のドメインからコンテンツにアクセスすることを可能にする認可技術の改善が必要とされている。
【発明の概要】
【０００９】
開示される実施形態は、コンテンツに対するアクセスを許可する例示的な方法であって、第１のコンテンツドメイン内のコンテンツにアクセスするための認可を有するデバイスから、ユーザに関連付けられたユーザクレデンシャル（ユーザ資格情報）を受信する工程と、ユーザクレデンシャルに関連付けられたユーザが第２のコンテンツドメイン内のコンテンツにアクセスするためのライセンスを有するか否かを判定する工程と、ユーザクレデンシャルに関連付けられたユーザが第２のコンテンツドメイン内のコンテンツにアクセスするためのライセンスを有するという判定に少なくとも一部基づいて、第２のコンテンツドメイン内のコンテンツにアクセスするための一時認可をデバイスに付与する工程とを含む方法に関する。
【００１０】
方法は、デバイスと同一のネットワーク上にある１つ以上の追加のデバイスが第２のコンテンツドメイン内のコンテンツにアクセスすることを可能にする一時認可を１つ以上の追加のデバイスに付与する工程を更に含みうる。
【００１１】
ユーザにより定義可能である所定の期間が経過することを含む１つ以上の予め設定された条件が発生した場合、一時認可は自動的に失効しうる。予め設定された条件は、第２のコンテンツドメイン内のコンテンツアイテムにアクセスすること、ユーザがデバイスから所定の距離だけ離れることを含みうる。
【００１２】
一時認可は、第２のコンテンツドメイン内のコンテンツのサブセットに対するデバイスのアクセスを許可しうる。更に、方法は、一時認可を永続認可に変換するための申し出（オファー）を送信する工程を含みうる。一時認可は、１つ以上の条件に応じて付与されうる。例えば、デバイスが有効な先行する一時認可を有する場合、一時認可は付与されなくてもよい。
【００１３】
ユーザクレデンシャルに関連付けられたユーザ以外のユーザに属するライセンスに基づいて、デバイスは第１のコンテンツドメインにアクセス可能でありうる。
【００１４】
第２のコンテンツドメイン内にあり、第１のコンテンツドメイン内にはないコンテンツアイテムにアクセスしようとする試みの後にデバイスへ送出されるクレデンシャル要求に応答して、ユーザクレデンシャルは受信されうる。更に一時認可は、第２のコンテンツドメイン内にあり、第１のコンテンツドメイン内にはないコンテンツアイテムに限定されうるし、デバイスに一時認可を付与することは、デバイスへ一時ドメインキーを送信することを含みうる。
【００１５】
デバイスが第２のコンテンツドメイン内のコンテンツにアクセスするための一時認可を有する間、デバイスは、第１のコンテンツドメイン内及び第２のコンテンツドメイン内の双方のコンテンツにアクセスするための認可を有しうる。あるいは、デバイスが第２のコンテンツドメイン内のコンテンツにアクセスするための一時認可を有する間、第１のコンテンツドメイン内のコンテンツにアクセスするためのデバイスの認可は一時停止されうる。
【００１６】
開示される実施形態は、コンテンツに対するアクセスを取得する例示的な方法であって、第１のコンテンツドメイン内のコンテンツにアクセスするための認可を有するデバイスのユーザに関連付けられたユーザクレデンシャルを送信する工程と、ユーザクレデンシャルに関連付けられたユーザが第２のコンテンツドメイン内のコンテンツにアクセスするためのライセンスを有するという判定に少なくとも一部で基づいて、デバイスが第２のコンテンツドメイン内のコンテンツにアクセスするための一時認可を受信する工程とを含む方法に更に関する。
【００１７】
例示的な方法は、デバイスと同一のネットワーク上にある１つ以上の追加のデバイスが第２のコンテンツドメイン内のコンテンツにアクセスすることを可能にする一時認可を１つ以上のデバイスに受信する工程を更に含みうる。
【００１８】
ユーザにより定義可能である所定の期間が経過することを含む１つ以上の予め設定された条件が発生した場合、一時認可は自動的に失効しうる。予め設定された条件は、第２のコンテンツドメイン内のコンテンツアイテムにアクセスすること、ユーザがデバイスから所定の距離だけ離れることを含みうる。
【００１９】
一時認可は、第２のコンテンツドメイン内のコンテンツのサブセットに対するデバイスのアクセスを許可しうる。さらに、方法は、一時認可を永続認可に変換する申し出を受信する工程を含みうる。一時認可は、１つ以上の条件に応じて付与されうる。例えば、デバイスが有効な先行する一時認可を有する場合、一時認可は付与されなくてもよい。
【００２０】
ユーザクレデンシャルに関連付けられたユーザ以外のユーザに属するライセンスに基づいて、デバイスは第１のコンテンツドメインにアクセス可能でありうる。
【００２１】
第２のコンテンツドメイン内にあり、第１のコンテンツドメイン内にはないコンテンツアイテムにアクセスしようとする試みの後にデバイスにより受信されるクレデンシャル要求に応答して、ユーザクレデンシャルは送信されうる。更に、一時認可は、第２のコンテンツドメイン内にあり、第１のコンテンツドメイン内にはないコンテンツアイテムに限定されうるし、デバイスに一時認可を付与することは、デバイスへ一時ドメインキーを送信することを含みうる。
【００２２】
デバイスが第２のコンテンツドメイン内のコンテンツにアクセスするための一時認可を付与されている間、デバイスは、第１のコンテンツドメイン内及び第２のコンテンツドメイン内の双方のコンテンツにアクセスするための認可を有しうる。あるいは、デバイスが第２のコンテンツドメイン内のコンテンツにアクセスするための一時認可を有する間、第１のコンテンツドメイン内のコンテンツにアクセスするためのデバイスの認可は一時停止されうる。
【００２３】
開示される実施形態は、コンテンツに対するアクセスを許可する例示的な方法であって、コンテンツ記憶装置に記憶され、コンテンツドメイン内にあるコンテンツに対するアクセスを１つ以上のコンピュータ装置のうち少なくとも１つのコンピュータ装置が管理するとき、コンテンツ記憶装置とローカルに接続されている第１のデバイスから、１つ以上のコンピュータ装置でユーザクレデンシャルを受信する工程と、ユーザクレデンシャルに関連付けられたユーザが第２のデバイスでコンテンツドメイン内のコンテンツにアクセスするためのライセンスを有するか否かを判定する工程と、ユーザクレデンシャルに関連付けられたユーザが第２のデバイスでコンテンツドメイン内のコンテンツにアクセスするためのライセンスを有するという判定に少なくとも一部で基づいて、コンテンツドメイン内のコンテンツにアクセスするための一時認可を第１のデバイスに付与する工程とを含む方法に更に関する。
【００２４】
１つ以上の予め設定された条件が発生した場合、一時認可は自動的に失効しうる。１つ以上の予め設定された条件は、所定の期間が経過すること、コンテンツドメイン内のコンテンツアイテムにアクセスすること及び／又は第１のデバイスがコンテンツ記憶装置から所定の距離だけ離れることを含みうる。
【００２５】
一時認可は、コンテンツドメイン内のコンテンツのサブセットに対する第１のデバイスのアクセスを許可しうるし、第１のデバイスに一時認可を付与することは、第１のデバイスへ一時ドメインキーを送信することを含みうる。
【００２６】
開示される実施形態は、コンテンツに対するアクセスを取得する例示的な方法であって、コンテンツ記憶装置に記憶され、コンテンツドメイン内にあるコンテンツに対するアクセスを１つ以上のコンピュータ装置のうち少なくとも１つのコンピュータ装置が管理するとき、コンテンツ記憶装置とローカルに接続されている第１のデバイスから、１つ以上のコンピュータ装置のうち少なくとも１つのコンピュータ装置へユーザクレデンシャルを送信する工程と、ユーザクレデンシャルに関連付けられたユーザが第１のデバイスとは別の第２のデバイスでコンテンツドメイン内のコンテンツにアクセスするためのライセンスを有するという判定に少なくとも一部で基づいて、第１のデバイスがコンテンツドメイン内のコンテンツにアクセスするための一時認可を受信する工程とを含む方法に更に関する。
【００２７】
１つ以上の予め設定された条件が発生した場合、一時認可は自動的に失効しうる。１つ以上の予め設定された条件は、所定の期間が経過すること、コンテンツドメイン内のコンテンツアイテムにアクセスすること及び／又は第１のデバイスがコンテンツ記憶装置から所定の距離だけ離れることを含みうる。
【００２８】
受信される一時認可は、コンテンツドメイン内のコンテンツのサブセットに対する第１のデバイスのアクセスを許可しうるし、第１のデバイスに一時認可を付与することは、第１のデバイスへ一時ドメインキーを送信することを含みうる。
【００２９】
開示される実施形態は、コンテンツに対するアクセスを取得する例示的な方法であって、ユーザがコンテンツドメイン内のコンテンツに関するライセンスを持たず、従ってコンテンツにアクセスすることが不可能であるとき、コンテンツドメイン内のコンテンツを受信する工程と、ユーザがライセンスを持たないコンテンツドメイン内のコンテンツにアクセスすることをユーザが希望していることを示す情報を送信する工程と、一時認可が期限切れになるまで、ユーザがコンテンツドメイン内のコンテンツにアクセスすることを可能にする一時認可を受信する工程とを含む方法に更に関する。
【００３０】
コンテンツ及び一時認可は、同一のコンピュータシステムから受信されうるか、又は、異なるコンピュータシステムから受信されうる。ユーザがコンテンツをホストするコンピュータシステムから所定の距離内にいること、ユーザがコンテンツのダウンロードを要求すること及び／又はユーザがコンテンツの受信を申し込むことなどの１つ以上の条件が発生した場合、コンテンツは受信されうる。
【００３１】
コンテンツにアクセスすることをユーザが希望していることを示す情報は、コンテンツにアクセスするための申し出を受信することに応答して送信されうるし、コンテンツ及びコンテンツにアクセスするための申し出は、２つの異なるコンピュータシステムから受信されうる。
【００３２】
所定の期間が経過すること及び／又はコンテンツドメイン内のコンテンツアイテムにアクセスすることなどの１つ以上の予め設定された条件が発生した場合、一時認可は自動的に失効しうる。
【００３３】
開示される実施形態は、コンテンツに対するアクセスを許可する例示的な方法であって、ユーザデバイスに記憶され、コンテンツドメイン内にあるダウンロード済みコンテンツに関するライセンスをユーザが持たず、従ってコンテンツにアクセスすることが不可能であるとき、コンテンツにアクセスすることをユーザが希望していることを示す情報を受信する工程と、一時認可が期限切れになるまで、ユーザがユーザデバイスでコンテンツドメイン内のコンテンツにアクセスすることを可能にする一時認可をユーザデバイスへ送信する工程とを含む方法に更に関する。
【００３４】
コンテンツは、一時認可を送信するのと同一のコンピュータシステムからダウンロードされうるし、また、一時認可を送信するコンピュータシステムとは異なるコンピュータシステムからダウンロードされうる。ユーザがコンテンツをホストするコンピュータシステムから所定の距離内にいること、ユーザがコンテンツのダウンロードを要求すること及び／又はユーザがコンテンツの受信を申し込むことなどの１つ以上の条件が発生した場合、コンテンツはダウンロードされうる。
【００３５】
ユーザがダウンロード済みコンテンツにアクセスすることを希望していることを示す情報は、コンテンツにアクセスするための申し出をユーザデバイスへ送信することに応答して受信されうるし、コンテンツは、申し出を送信するコンピュータシステムとは異なるコンピュータシステムからダウンロードされうる。
【００３６】
所定の期間が経過すること及び／又はコンテンツドメイン内のコンテンツアイテムにアクセスすることなどの１つ以上の予め設定された条件が発生した場合、一時認可は自動的に失効しうる。
【００３７】
開示される実施形態は、コンテンツを視聴する例示的な方法であって、第１のユーザに関連付けられた第１のコンテンツドメイン内のコンテンツにアクセスするための認可及び第２のユーザに関連付けられた第２のコンテンツドメイン内のコンテンツにアクセスするための一時認可をデバイスが有するとき、第１のコンテンツドメイン及び第２のコンテンツドメインに対応するデータを記憶する工程と、第１のコンテンツドメイン内の各コンテンツアイテム及び第２のコンテンツドメイン内の１つ以上のコンテンツアイテムに関連付けられたコンテンツ標識（コンテンツインジケータ）を表示する工程とを含み、第２のコンテンツドメイン内の１つ以上のコンテンツアイテムに関連付けられたコンテンツ標識は、１つ以上のコンテンツアイテムが第２のコンテンツドメイン内にあると識別する情報を含む方法に更に関する。
【００３８】
所定の期間が経過すること及び／又は第２のコンテンツドメイン内のコンテンツアイテムにアクセスすることを含む１つ以上の予め設定された条件が発生した場合、一時認可は自動的に失効しうる。
【００３９】
第１のユーザ及び第２のユーザは共にデバイスのユーザでありえ、また、第１のドメイン内及び第２のドメイン内のコンテンツは、デバイスに記憶されうる。１つ以上のアイテムが第２のコンテンツドメイン内にあると識別する情報は、第２のユーザを識別する情報を含みうる。更に、第１のユーザ及び第２のユーザは同一のユーザでありうる。
【００４０】
上記の方法の工程は、１つ以上のコンピュータ装置により実行されうる。開示される実施形態は、例えば、１つ以上のプロセッサと、１つ以上のプロセッサのうち少なくとも１つのプロセッサに動作可能に結合された１つ以上のメモリとを有し、１つ以上のプロセッサのうち少なくとも１つのプロセッサにより実行された場合、１つ以上のプロセッサのうち少なくとも１つのプロセッサに、先に述べた例示的な方法のうちいずれかの方法の工程を実行させる命令が１つ以上のメモリに記憶されている例示的なデバイス又は装置に更に関する。開示される実施形態は、１つ以上のコンピュータ装置により実行された場合、１つ以上のコンピュータ装置のうち少なくとも１つのコンピュータ装置に、先に述べた例示的な方法の工程を実行させるコンピュータ可読命令を記憶する例示的な非一時的コンピュータ可読媒体に更に関する。
【図面の簡単な説明】
【００４１】
【図１Ａ】開示される実施形態に係るデバイスに一時認可を付与する例示的な方法を示すフローチャートである。
【図１Ｂ】開示される実施形態に係るデバイスに一時認可を付与するためにユーザクレデンシャルを要求する例示的な方法を示すフローチャートである。
【図２Ａ】２人の異なるユーザのコンテンツドメインを示す図である。
【図２Ｂ】開示される実施形態に係る一方のユーザが他方のユーザのコンテンツドメインにアクセスするための認可を取得した場合の２人の異なるユーザのコンテンツドメインを示す図である。
【図３】開示される実施形態に係る第１のユーザが第２のユーザに関する認可を有するデバイスに有効なクレデンシャルを入力する場合の一時デバイス認可の例示的な方法を示す図である。
【図４Ａ】開示される実施形態に係る関連する使用権によるアイテムに対する要求に応答して認可されているデバイスのドメインのメンバーとしてデバイスを一時的に認可する例示的な方法を示すフローチャートである。
【図４Ｂ】開示される実施形態に係る一時認可の時間条件を強制する例示的な方法を示すフローチャートである。
【図５】開示される実施形態に係る２つのＤＲＭシステムと非ドメインデバイスとの対話を示す図である。
【図６Ａ】、
【図６Ｂ】、
【図６Ｃ】開示される実施形態に係る２つ以上のドメインで並行メンバーシップを有する複数のデバイスに対する一時認可の動作を示す図である。
【図７Ａ】、
【図７Ｂ】、
【図７Ｃ】、
【図７Ｄ】、
【図７Ｅ】、
【図７Ｆ】開示される実施形態に係る一時認可方法と共に利用可能な例示的なユーザインタフェースを示す図である。
【図８】開示される実施形態に係る一時認可に使用可能な１つのトラストシステムを示す図である。
【図９】開示される実施形態に係る一時認可に使用可能なドメインキー及びコンテンツキーを伴うトラストシステムを示す図である。
【図１０】開示される実施形態に係る一時認可の方法を実行するために使用可能な例示的なコンピュータ環境を示す図である。
【発明を実施するための形態】
【００４２】
本明細書において、実施例及び実施形態によって方法、装置及びコンピュータ可読媒体を説明するが、方法、装置及びコンピュータ可読命令が説明される実施形態又は図面に限定されないことは当業者には認識される。図面及び説明が開示される特定の形態に限定されることは意図されていないことを理解すべきである。本発明は、添付の特許請求の範囲の精神及び趣旨の範囲内に入るすべての変形、同等物及び代替構成を含むものである。本明細書において使用される見出しは、すべて組織的な説明を目的とするのみであり、説明又は特許請求の範囲の範囲を限定することを意図しない。本明細書において使用される場合の語「可能である（できる、しうる）」は、強制の意味（すなわち「しなければならない」を意味する）ではなく、許容の意味（すなわち「する可能性がある」を意味する）で使用される。同様に、語「含む」は、それを含むことを意味し、それに限定されることを意味しない。
【００４３】
ユーザがいくつかのドメイン（ウォールドガーデン）に同時に関与することを可能にし、しかも、デジタル媒体の不正使用から著者を保護しつつ典型的なドメインパートナーシップに関連付けられた制限を回避するような技術が必要とされている。必要とされているのは、コンテンツが限られた数のデバイスに制限されておらず、一時的ではあっても、ほぼすべてのデバイスに提供され、著作権所有者を保護するように機能するというユーザ体験である。更に、必要とされているのは、ユーザを一度に限られたデバイス群又は１回のユーザログインに制限することなくデバイス認可を管理しなければならないというユーザの負担を軽減する方法である。加えて、必要とされているのは、管理責任が軽減され及び／又は少なくとも一時的な時間周期で自動化認可及びデバイス認可がほぼ無制限になり、それにより、更に便利なユーザ体験を提供するように、極めて多数のデバイスにわたって都合よくデバイス認可を行うシステムである。
【００４４】
開示される方法及びシステムは、「一時」認可という概念を導入することにより、離散的なデバイス制限を改善する。コンテンツシステムの一実施形態は、ユーザのアカウントクレデンシャル（アカウント資格情報）に基づいて、ユーザが利用可能などのデバイスにも一時認可を付与することができる。
【００４５】
図１Ａを参照すると、例示的な一実施形態に係る方法の概要が示される。ステップ１０１において、オーソライザコンピュータシステムで、１つ以上の第１のコンテンツドメイン内のコンテンツにアクセスするための認可を有するデバイスからユーザクレデンシャルが受信される。例えば、デバイスがコンピュータである倍、ユーザはキーボード又はマウスを使用できる。デバイスがセットトップボックス（「ＳＴＢ」）又はＴＶである場合、ユーザは、リモコン、音声コマンド、ジェスチャ又は他の何らかの適切なインタフェース機構を介してクレデンシャル（資格情報）を入力できる。
【００４６】
ユーザクレデンシャルは、いずれのコンテンツドメインに関してもコンテンツにアクセスするための認可を有さないデバイスから任意に受信されうる。ユーザは、コンテンツにアクセスする資格のあるデバイスとは異なるデバイスでライセンスを有するコンテンツを視聴することを希望しうる。例えば、ユーザは、移動デバイス又はラップトップでプレミアムケーブルＴＶコンテンツにアクセスすることを希望しうる。この場合、移動デバイス又はラップトップは、任意のコンテンツドメインにアクセスするための認可を有していなくてもよい。
【００４７】
コンテンツドメインは、特定のコンテンツセットに加入しているか又はそのコンテンツセットに対してアクセスする１人以上のユーザが利用可能なコンテンツでありうる。例えば、コンテンツドメインは、ケーブルＴＶに加入しているか、プレミアムチャンネルに加入しているか、ペーパービューイベントにアクセスする権利を有するか、あるいはＮｅｔｆｌｉｘ（登録商標）などのストリーミングサービス、ＮＦＬ  Ｓｕｎｄａｙ  Ｔｉｃｋｅｔ（登録商標）などのスポーツパス、特定の音楽ライブラリ又はビデオなどに加入しているいずれかの人物が利用可能なコンテンツであると考えうる。ドメインは、特定のデバイスいずれかの人物が利用可能なコンテンツのライブラリ、例えばＫｉｎｄｌｅ（登録商標）所有者の貸し出しライブラリを含みうる。ドメインは、限られた数のデバイスを１つのユーザアカウントに関連付けることに制限される必要はない。ドメインは、デバイス、コンテンツ、アプリケーションなどとユーザ又はユーザアカウントとの何らかの関連付け又は制限を表しうる。更に、特定のドメインは、２人以上のユーザ、例えばある人物グループが利用可能であるすべてのコンテンツを含むファミリーコンテンツドメイン又はグループコンテンツドメインを有しうる。
【００４８】
ステップ１０２において、オーソライザコンピュータシステムは、デバイスがコンテンツにアクセスするための認可を既に有する１つ以上の第１のコンテンツドメイン以外の１つ以上の第２のコンテンツドメイン内のコンテンツにアクセスするためのライセンスをユーザクレデンシャルに関連付けられたユーザが有するか否かを判定する。
【００４９】
ユーザが１つ以上の第２のコンテンツドメイン内のコンテンツにアクセスするためのライセンスを持たない場合、ステップ１０３において、オーソライザコンピュータシステムはデバイスに一時認可を付与する。一時認可は種々の方法（以下に更に詳細に説明する）で実現可能であり、デバイスは、一時認可の条件に従って１つ以上の第２のコンテンツドメイン内のコンテンツにアクセスできる。
【００５０】
一時認可は、ユーザがライセンスを有する１つ以上の第２のコンテンツドメイン内の１つ以上のコンテンツアイテムに拡張されうる。例えば、一時認可は、特定の映画などの単一のコンテンツアイテム又はテレビシリーズなどのコンテンツドメイン内のコンテンツ群に限定されうるし、１つ以上の第２のコンテンツドメイン内のすべてのコンテンツにアクセスするために使用されうる。
【００５１】
認可されている特定のコンテンツドメイン又はコンテンツアイテムに基づいて、一時認可の持続時間は、１日又は１週間などの予め設定された長さでありうる。例えば、コンテンツプロバイダは、そのプロバイダのコンテンツに対して付与されるどの一時認可も最長で４８時間の持続時間を有すると指定しうる。その代わりに又はそれに加えて、ユーザは、一時認可が付与された後に又はユーザクレデンシャルを提供する時点で、持続時間を入力するなどの方法により一時認可の持続時間を指定しうる。ある数の番組が視聴された後に認可が自動的に期限切れになるように、一時認可は視聴番組の数に基づきうる。例えば、テレビシリーズに一時認可の場合、デバイスがそのシリーズの６つのエピソードにアクセスできるように設定されうる。また、映画又はスポーツの試合の場合のように、一時認可は、１回の視聴の後に期限切れになるように設定されうる。一時認可は予め設定された条件に関連付けられうる。予め設定された条件は、コンテンツプロバイダ、コンテンツ所有者又は一時認可を要求した者により設定可能である。例えば、特定のコンテンツプロバイダは、そのプロバイダのコンテンツアイテムのうち１つのコンテンツアイテムが再生の途中で期限切れにならざるを得ないように規定することもでき、その場合、ユーザは、視聴を継続するために非一時認可を獲得しなければならない。一時認可は、ユーザによる更なるアクションを伴わずに失効しうる。多くの変形が可能であり、上記の例は限定的な意味を持つことを意図しない。
【００５２】
更に、一時認可は、要求側デバイスと同一のネットワーク上にある１つ以上の追加のデバイスに拡張されうる。例えば、ゲストが友人のＳＴＢにクレデンシャルを入力し、そのデバイスで、ゲストが希望するコンテンツを再生するための一時認可を受信することも可能である。また、一時認可は、同一のネットワーク上にある他のＳＴＢ又はデバイスに拡張されうる。従って、例えば、家庭内の別のユーザが自身の移動電話でゲストのコンテンツを視聴することを希望した場合、移動電話を家庭内のネットワークに接続し、一時認可を受信することが可能である。
【００５３】
一時認可は、ライセンス所有者のＧＰＳ追跡及び／又は位置座標に基づいて１つ以上の追加のデバイスに拡張されうる。例えば、第１のコンテンツドメイン内のコンテンツに対するアクセスの権利を有するライセンス所有者は、自身の移動デバイスから２０フィート以内のデバイスに関して一時認可を取得することが可能である。このライセンス所有者が友人の家まで移動した場合、ライセンス所有者の移動デバイスから２０フィートの範囲内にある友人のすべてのデバイスは一時的に認可されることが可能である。この例が例示を目的として提示されたにすぎないことは言うまでもなく、一時認可の範囲は、半径２０フィートを超えるか又は２０フィート未満でありうるし、また、何らかの種類の追跡装置又は永続的な場所（友人の家の住所及び家屋の寸法など）に基づきうる。
【００５４】
一時認可は、使用料、追加料金又は他の条件に任意に関連付けられうる。すなわち、その条件が満たされるまで認可は付与されないようにしうる。あるいは、一時認可が失効した後、デバイスのユーザがそのデバイスで１つ以上の第２のコンテンツドメインからのコンテンツにアクセスし続けることを希望する場合、使用料又は追加料金がアクセスされうる。例えば、友人の家にいるユーザは、そのユーザはアクセスする権利を有するが、友人はライセンスを持たないコンテンツにアクセスするための一時認可を取得するために、友人のＳＴＢにユーザのクレデンシャルを入力しうる。一時認可が失効した後、友人は、使用料に関して、ユーザに関連付けられた１つ以上の第２のコンテンツドメイン内のコンテンツに関する無限認可又は永続認可を任意に取得しうる。更に、ユーザは、種々の価格ポイントで週の予め設定された条件を有する一時認可から希望のものを要求又は選択しうる。例えば、予め設定された１日の持続時間を有する一時認可は、予め設定された１週間の持続時間を有する一時認可より価格が安いと考えられる。多くの変形が可能である。
【００５５】
更に、一時認可の総数、特定の期間内の一時認可の数又は並行して付与される一時認可の数が限定されうる。この制限は、一時認可を求めているデバイス又は一時認可を要求しているユーザクレデンシャルに関連付けられたユーザに基づいて課されうる。従って、特定のデバイスで新たな一時認可を有効化するためには、ユーザは先行する一時認可を無効化しなければならないだろう。更に、要求可能な一時認可の数は、ユーザごとに毎月特定の数に限定されうる。例えば、ユーザは、毎月３つまでの無資格デバイスに関して一時認可を要求できる。多くの変形が可能であり、上記の例は限定的な意味を持つことを意図しない。
【００５６】
次に図１Ｂを参照して、ユーザクレデンシャルを要求することができる種々の方法を説明する。ステップ９８において、ユーザは、デバイスが認可されている１つ以上の第１のコンテンツドメイン内にはないコンテンツにアクセスすることを要求しうる。この要求に応答して、ステップ１００において、オーソライザコンピュータシステムは、ユーザがユーザクレデンシャルを入力することを要求しうる。
【００５７】
あるいは、ステップ９９において、ユーザは、デバイスのアクセス認可の範囲外にあるとわかっている１つ以上の第２のコンテンツドメインにアクセスすることを要求しうる。ユーザが友人の家に行く例で言えば、ユーザは、独自のライブラリにアクセスすることを可能にするように設計された入力デバイス又はインタフェースを介してオプションを選択しうる。例えば、「ゲストライブラリ」ボタン又は他のインタフェース要素がＶＯＤ又はストリーミングサービスの一部でありうるし、また、「ゲストライブラリ」ボタンを選択することにより、ユーザは、デバイスで独自のライブラリにアクセスするための一時認可を取得できるようにユーザクレデンシャルを入力することを促されうる。
【００５８】
図２Ａ及び図２Ｂを参照すると、セットトップケーブルボックスに関連して、一時認可の一例が示される。図２Ａは、自身の家庭２１６でＳＴＢ２１５の使用を介してコンテンツドメイン（ドメインＡ）に対するアクセス権を有する第１のユーザ２１４を示す。第２のユーザ２１８は、自身の家庭２１７でＳＴＢ２１９の使用を介してコンテンツドメイン（ドメインＢ）に対するアクセス権を有する。
【００５９】
図２Ｂに示されるように、第２のユーザ２１は、第１のユーザの家庭２１６を訪ね、自身のＳＴＢ２１９を介してアクセス権を有するコンテンツにアクセスするために第１のユーザのＳＴＢ２１５にユーザクレデンシャルを入力しうる。開示される一時認可技術を使用して、ＳＴＢ２１５は、一時認可の下でドメインＢ内のコンテンツ延並びに通常はドメインＡで利用可能であるコンテンツに対するアクセス権を取得するだろう。一時認可を利用して、１つのデバイスで３人以上のユーザに対応するコンテンツドメインにアクセスすることももちろん可能である。更に、任意に一時ドメインを非一時ドメインと置き換えること、又は一時ドメインが非一時ドメインと共存することも可能である。
【００６０】
図３は、開示される実施形態に従って、第１のユーザに関連付けられた第１のコンテンツドメイン内のコンテンツへのアクセスが認可されているデバイスにおいて、コンテンツオブジェクトを一時的に認可するために使用できる処理の一例を示す。ステップ３０１において、第２のユーザは、第２のコンテンツドメインに関連付けられた自身のユーザクレデンシャルを、第１のユーザ及び第１のコンテンツドメインに関して認可されているデバイスのユーザインタフェース（「ＵＩ」）に入力しうる。前述のように、それらのクレデンシャルは、ＵＩを介して要求されてもいが、第２のユーザにより自発的に提供されうる。
【００６１】
ステップ３０２において、デバイスは、認証サーバへクレデンシャルを配信する。認証サーバは、オーソライザコンピュータシステムの一部でありうるし、また、オーソライザコンピュータシステムと通信する第三者認証サーバでありうる。ステップ３０３において、サーバは真正性を否定又は許可する。あるいは、認証情報がデバイスに戻され、デバイス自体が許可又は否定の決定を実行しうる。認証が拒否された場合、ステップ３０４において、認証に失敗したことをユーザに報知して、最初のステップを繰り返すことにより、認証処理が再試行されうる。
【００６２】
認証が拒否されなかった場合、ステップ３０５において、オーソライザコンピュータシステムは、一時認可を利用可能であるか否かを判定する。一時認可の利用の可否は、第２のコンテンツドメインに関連付けられたドメイン認可サーバで検証されうる。しかし、一時認可は、オーソライザコンピュータシステムが作成し、管理することも可能である。先に述べたように、実現可能な多様な制限に基づいて、一時認可は利用不可能とされうる。例えば、第２のユーザが、並行する一時認可の割当数あるいは１か月の一時認可の割当数を超えたか、又は、既に一時認可を有効にしており、同時に別の一時認可を有効化することが許されないという理由により、認可は利用不可能とされうる。更に、どのデバイスが一時認可を有効化できるか又はユーザが一時認可を有効化できるその月内の回数に対する制限などの第２のコンテンツドメイン内の１つ以上のコンテンツプロバイダに関連付けられた規則によって、一時認可は利用不可能とされうる。
【００６３】
一時認可が利用不可能である場合、ステップ３０６において、オーソライザコンピュータシステムは、一時認可を利用可能にすることを試行するために、いくつかの可能な応答を生成しうる。例えば、オーソライザコンピュータシステムは、未決の一時認可を撤回し、それにより一時認可を利用可能にするように申し出るメッセージをユーザへ送信しうる。あるいは、オーソライザコンピュータシステムは、非一時認可を有するデバイスを認証するか、デバイスを認可することを拒絶するか、又は他の何らかの適切な応答を実行しうる。
【００６４】
一時認可が利用可能である場合、ステップ３０７において、ＵＩは、第２のユーザに対して一時認可オプションを提示しうる。システムは、この時点でカスタマイズの機会を提供しうる。例えば、ＵＩは、認可が継続する時間の長さを設定するか、あるいは一時認可又は類似のカスタマイズを介して付与される権利を調整するか又は制限することを申し出うる。
【００６５】
第２のユーザは、ステップ３０８で一時認可を断るか又はステップ３０９で一時認可を受け入れうる。一時認可が受け入れられた場合、ステップ３１０において、デバイスに一時認可オブジェクトが導入可能となるので、ステップ３１０において、デバイスは、コンテンツ、アプリケーションなどのドメインの利益及び特徴に対して一時的にアクセスする権利を得る。更に、ドメインへのデバイスの一時的な追加及び第２のユーザによる一時認可起動の追加を反映するために、ドメインサーバ及び／又はオーソライザコンピュータシステムは更新されうる。
【００６６】
一時認可に関連付けられた条件が満たされた場合、ステップ３１２において一時認可は期限切れになるので、デバイスは、ドメインに関連付けられた利益及び特徴を利用することができなくなる。例えば、一時認可に関連付けられた特定の長さの期間の後、又は特定の視聴回数の後、一時認可は自動的に失効しうる。更に、第２のユーザに関する一時ドメイン認可の利用の可否を反映するために、ドメインサーバ及び／又はオーソライザコンピュータシステムは更新されうる。
【００６７】
一時認可は、特定のコンテンツドメインへのアクセスが既に認可されているデバイスに限定されない。現在はどのコンテンツドメインに関しても認可されていないデバイスについても、一時認可を利用できる。
【００６８】
例えば、図４Ａ及び図４Ｂは、関連する使用権を有するアイテムに対する要求に応答して、有資格デバイスのドメインのメンバーとしてデバイスを一時的に認可するための例示的なステップの概要を示す。ステップ４０１において、１つのアイテムが使用権に関連付けられる。そのような関連付けは、権利エディタなどを使用してサービスプロバイダにより実行されうる。あるいは、関連付けは、アイテムがサービスプロバイダへ配信される前に第三者により実行されうる。あるいは、ユーザによるコンテンツの選択に基づいて、使用権はコンテンツと関連付けられる。例えば、アイテムアイコンは、アイテムを貸借するか又は購入するためのオプションを提示しうる。購入オプションが選択された場合、例えばライセンスを使用して、購入トランザクションに適する使用権がコンテンツと関連付けられる。レンタルオプションが選択された場合、レンタルに適する利用権がコンテンツと関連付けられる。ステップ４０２において、アイテムを選択する機会がユーザに提示される。アイテムに関連付けられた使用権は、例えば、そのアイテムが完全なカタログエントリとして出現するか否かを判定しうるし、また、使用権は、そのアイテムを選択した場合にどのアクションを利用可能であるかを判定しうる。
【００６９】
アイテムの選択に対して、クレデンシャル４０３の入力を促す応答が発生されうる。そこで、ユーザは、ステップ４０４においてサービスプロバイダにクレデンシャルを提供し、ステップ４０５において、サービスプロバイダはクレデンシャルの真正性を検査しうる。クレデンシャルを検査するサービスプロバイダはコンテンツのサービスプロバイダと同一でありうる。あるいは、クレデンシャルを検査するサービスプロバイダは、コンテンツを提供うるサービスプロバイダとは異なるサービスプロバイダでありうる。このような方式は、Ｈｉｇｇｉｎｓ、Ｗｉｎｄｏｗｓ  ＣａｒｄＳｐａｃｅ、ＳＡＭＬ、ＭｉｃｒｏＩＤ及びＩｐｅｎＩＤなどの連合認証方式に依存しうる。サーバがクレデンシャルを検査した後、ステップ４０６において、クレデンシャルが真正であるか否かを示す応答がデバイスで受信される。この応答は、キー又はライセンスなどのデータを任意に含みうる。
【００７０】
認証クレデンシャルが真正ではない場合、選択は失敗するか、又はステップ４０８において認証が再度試行されうる。認証クレデンシャルが真正である場合、ステップ４１０において、デバイスは、関連する使用権及び（適用可能であれば）何らかの条件に従って選択を許可しうる。有効な認証クレデンシャルの場合、一時認可は、その選択に関連付けられた特定のアイテムに制限されうるし、また、ドメイン全体への一時認可でありうる。一時認可は、相対的に短時間の条件により制限されるか、あるいは場所又はイベントなどの他の適切な条件により制限されうるが、その制限は、自動化され及び／又はデバイス管理インタフェースを介して手動で制御されうる。これに対し、非一時認可は、相対的に長い期間持続し、手動操作による認可解除及び何らかの期間中の認可解除回数の制限の形の一時認可より重い管理コストを要するという特徴を有する。
【００７１】
デバイスは、要求したアイテムに結びつく要求を許可するために、サービスプロバイダで遠隔場所に記憶されている関連付けられた使用権にアクセスするために、認証の証明を使用しうる。あるいは、デバイスは、アイテム選択に関連付けられたコンテンツをデバイスに提供するサービスプロバイダにアクセスするためにクレデンシャルの妥当性を使用しうる。更に有資格デバイスは、選択を許可するためにローカルに記憶されているライセンス及びローカルに記憶されているコンテンツに依存しうる。
【００７２】
ステップ４１１において、一時的に認可されたデバイスは、一時認可に関連付けられた時間条件の追跡を開始しうる。あるいは、サービスプロバイダが集中型レポジトリ又は分散型レポジトリを介して一時認可を追跡しうる。いずれの場合も、時間制限に達すると、時間ベース一時認可は自動的に期限切れになるので、認可は取り消しとなる。ステップ４１３において、ステップ４１２のアイテム選択に応答して、認可に関連付けられた時間条件が検査されうる。時間条件に適合しない場合、ステップ４１５において、選択は拒否される。時間条件に適合する場合、ステップ４１６において、選択は許可されうる。更に、アイテム選択に応答して認可が検査されうるし、また、デバイスが認可される場合、選択は許可され、デバイスが認可されない場合には選択は拒否されうる。選択を許可する前に、認可又は時間条件と共に、使用権の中で詳細に示される追加基準が更に要求されうる。
【００７３】
ネットワーク資源のブロードバンド消費を減少させるために、一時認可は、ローカルネットワーク媒体サーバと関連して使用されうる。ファイル共有サービス及びコンテンツストリーミングサービスが成長するのに伴い、送信ネットワークに新たな負担が課されるようになっている。例えば、ビットごとのサービスプロバイダの料金徴収によってネットワークトラフィックが調整されることは、更に一般的になっている。そのような消費と関連する高いコストを相殺するために、現在のシステムを使用できる。メディアサーバは、何千もの事前ロード済み保護コンテンツのファイルを記憶できる。それらのサーバは、トラフィックの非常に多いエリアに配置され、ネットワーク接続を介して任意に更新されることが可能である。そこで、消費者は、コスト高のビット毎データ料金プランを使用せずに、サーバのコンテンツに対する権利を取得するためにローカル優先接続又はローカル無線接続を介してサーバと対話することができる。
【００７４】
消費者にコンテンツをより近づける方法は数多くある。消費者は、サーバのコンテンツドメインに対して一時認可を取得しうる。一時認可は、サーバに存在するコンテンツのうちいずれかのサブセット又はすべてのコンテンツのいずれでありうるし、また、消費者デバイスに対する一時ダウンロードを可能にする。消費者のデバイスは、例えば航空機に配置されているそのようなサーバに対する一時認可も取得でき、コンテンツは、例えばＬＡＮ又はＷｉ−Ｆｉを介して提供されうる。そこで、サーバは、ユーザのクレデンシャルを検証し、ユーザが１つ以上の第２のデバイスでコンテンツの特定の一部又はコンテンツドメインにアクセスする権利を有することを検証するという目的のためだけにＷＡＮ又はブロードバンド接続を利用しうる。そのようなシステムは、ストリーミングＶＯＤシステムムの即時満足及び選択を可能にし、しかも典型的なＶＯＤシステムにより要求される大量のブロードバンド利用と関連する落とし穴を回避できる。
【００７５】
サーバは、小キオスクに配置されたキオスクでありうるし、あるいはたとえば幹線道路沿いのサービスステーションでありうる。消費者は、コンテンツのコピーを取得するためにサーバと対話しうるし、及び／又は電話又は車載エンターテインメントシステムなどの消費者のデバイスにローカル接続を介してダウンロードされるすべてのオプションのカタログにアクセスするために一時認可を受信しうる。例示的なシナリオでは、消費者は、サーバのコンテンツに対する一時認可を購入して、取得することができる。その後、一時認可は、コンテンツと共に消費者のデバイスに導入されうる。そのようなシステムは、購入を見込んで保護コンテンツを消費者デバイスへ送出されるシナリオを更に支援しうる。このデバイスは、ドメインマネージャと、保護コンテンツに対するアクセスを制御し、金銭に関わるトランザクションを実行する購入マネージャとを支援しうる。
【００７６】
一時認可技術を使用して、蓄えられている膨大な量のコンテンツを宣伝するために無線有効化（例えばＷｉ‐Ｆｉ）記憶装置（ＷＥＳＤ）が使用されうる。そのような記憶装置は、空港又は航空機に設置されるか、あるいはたとえば車載エンターテインメントシステムの一部として設置されうる。コンテンツは、購入又はレンタルを目的として即座に利用可能にされうるが、加入するなどの方法によりＷＥＳＤとの対話以前に取得されていた権利を介して利用可能になってもよい。ＷＥＳＤとの一時ドメインメンバーシップを介してコンテンツに対するアクセスが許可されうるが、その場合、限られた期間だけコンテンツのすべて又は一部のサブセットが利用可能になる。例えば、ＷＥＳＤは車載エンターテインメントシステムの一部でありうるし、車両に乗っている人は、例えば３Ｇネットワークを介してコンテンツを取得するのではなく、タブレット又はスマートフォンを使用し、ローカル無線接続を介してコンテンツにアクセスできる。このシステムにより、車両に乗っている人は、他の同乗者のデバイスの一時認可によって他の同乗者とＷＥＳＤのコンテンツを一時的に共有するためのドメイン認可を取得することができる。
【００７７】
ユーザがアクセス権を持たないコンテンツが１つ以上のユーザデバイスへ送信されることも可能である。コンテンツは、ユーザがライセンスを持たないコンテンツドメインにありうるし、ユーザの要求に応じて、何らかの加入契約に従ってユーザデバイスにダウンロードされるか、又はユーザからのアクション又は入力なしに自動的にダウンロードされうる。更に、ユーザデバイスがコンテンツ記憶装置に接近しているなどの１つ以上の条件、又は他の何らかの条件に基づいて、コンテンツがダウンロードされうる。ユーザがコンテンツに対するアクセスを希望する場合、ユーザは、認可サーバ又は他のオーソライザコンピュータシステムに要求を提供してもよい。あるいは、ユーザがデバイスに記憶されているコンテンツにアクセスしたいか否かをユーザが尋ねられうるし、その質問に対し、ユーザは肯定の返答で応答できる。ユーザがコンテンツにアクセスしたいと思っていることをどのような方法で示すかに関わらず、認可コンピュータシステムは、コンテンツとバンドルされた一時認可を起動することにより、その指示に応答しうるが、以前コンテンツが一時認可なしで送信されていた場合、ユーザデバイスへ一時認可を送信することにより応答しうる。この一時認可により、ユーザは、一時認可が期限切れになるまでデバイスに記憶されたコンテンツにアクセスできる。
【００７８】
ユーザが常にインターネット通信ネットワーク又は移動通信ネットワークに対してアクセスできるとは限らない場合、このシステムは多様な状況で実現されうる。例えば、ユーザが空港のコンテンツレポジトリの範囲内にいる場合、ユーザのデバイスにコンテンツをダウンロードすることは可能である。離陸前、ユーザは、デバイスにダウンロードされたコンテンツにアクセスしたいか否かを尋ねられうる。ユーザがアクセスしたいと返答した場合、航空機が飛行中であり、デバイスがオフラインである間であっても、一時認可が期限切れになるまでユーザがコンテンツにアクセスできるように、ユーザデバイスは一時的に認可されうる。あるいは、デバイスがオフラインである場合にコンテンツを起動できるように、一時認可はコンテンツに組み込まれうる。例えば、デバイスは、ユーザのデバイスがネットワークコンタクトできないことを検出し、ユーザがデバイスに既にダウンロードされているコンテンツを視聴したいか否かを尋ねる広告をユーザに提示しうる。
【００７９】
更に、コンテンツを送信するコンピュータシステムは、コンテンツにアクセスするための一時認可又は申し出を送信するコンピュータシステムと同一でありうるが、異なっていてもよい。例えば、ユーザの家庭内のコンテンツレポジトリがユーザのラップトップコンピュータへコンテンツを送信しうる。出張中、ユーザがライセンスを持たないラップトップに保護コンテンツを有することをホテルのコンピュータシステムが検出しうる。次に、ホテルのコンピュータシステムは、ユーザの家庭内のコンテンツレポジトリから受信されたコンテンツを視聴するためのラップトップ一時認可を付与するために、ユーザのラップトップへ申し出を送信しうる。あるいは、コンテンツを送信するコンピュータシステムは、一時認可を提供するコンピュータシステムと同一でありうる。例えば、ユーザは、ブックストアに入ったが、電子ブックにアクセスすることは制限されている場合、ブックストアコンピュータシステムからユーザの電子ブックリーダで電子ブックを自動的に受信しうる。ユーザが電子ブックの一部を読むことを希望している場合、ユーザは一時認可を要求しうるし、ブックストアコンピュータシステムは、受信した電子ブックにアクセスすることを電子ブックリーダに一時的に許可しうる。
【００８０】
ケーブルプロバイダを例にとると、ケーブル会社は、コンテンツをホストし、多様な呼格デバイスとインタフェースすることが可能である１台のスマートデバイスを顧客の家庭に設置しうる。このスマートデバイスは、ケーブルプロバイダからダウンロード可能なコンテンツをホストし、家庭内のすべてのデバイスでそのコンテンツを利用可能にするという点で、キオスク又はエッジサーバに似ていると言える。スマートデバイスは、コンテンツを利用可能なデバイスへ自動的に送出し、コンテンツにアクセスできるようにするためにユーザのデバイスが一時認可を利用可能にすることができる。あるいは、顧客は、一時認可又は非一時認可を取得すると同人、スマートデバイスに記憶されたコンテンツを視聴し、そのコンテンツをどのデバイスにもダウンロードすることが可能である。スマートデバイスは、無線ネットワークなどのホームネットワークのすべてのデバイスを検出するか、又はＵＳＢ接続などの物理的接続を可能にすることができる。顧客により、コンテンツに対するアクセス権を取得することなく顧客デバイスからスマートデバイスのコンテンツが要求されうるし、その場合、顧客は、後にデバイスでコンテンツを取得することなく一時認可を購入するオプションを提供される。
【００８１】
一時認可は、１つ以上の予め設定された条件が発生することに基づいて自動的に期限切れになるように設定されうる。条件は、所定の期間が経過すること、特定のコンテンツを視聴又はアクセスすること、コンテンツを所定の回数視聴又はアクセスすること、ユーザが特定の範囲外に出ること、例えばユーザがＷＥＳＤデバイスから所定の距離だけ離れること、又は一時認可を付与されたデバイスからユーザが所定の距離だけ離れることを含みうる。ユーザの移動デバイスのＧＰＳを利用する追跡などの多くの公知の方法及び他の同様の方法を使用して、距離を追跡できる。
【００８２】
更に、一時認可は、期限切れになるか又は条件を満たしたことを追跡するために有効な接続を要求せず、オフラインである間に有効化又は無効化されることが可能である。離陸前に受信される一時認可を例にとると、一時認可が１回のコンテンツ視聴という失効条件を有する場合、その時点でデバイスのインターネット接続が有効ではない場合でも、ユーザが一度のコンテンツ視聴を完了した後、一時認可は失効しうる。デバイスがネットワーク接続を回復した後、デバイスは、一時認可情報によって適切な監視サーバを更新しうる。
【００８３】
複数のＤＲＭシステムにわたり、一時認可を転送できる。図５は、どの特定のコンテンツドメインにも関連付けられていない非ドメインデバイス５０１、ＤＲＭシステムＡ５０３及びＤＲＭシステムＢ５０２を示す。システムＡ５０３は、いくつかのドメインデバイス５０５に関連付けられることが可能であるが、システムＢ５０２は、どのドメイン制限にも結び付けられていない。例えば、ＤＲＭシステムＡは、複数のＳＴＢに関連付けられたプレミアムケーブルチャネルＤＲＭシステムでありうるし、ＤＲＭシステムＢは、基本ケーブルサービスＤＲＭシステムに関連付けられうる。これらのシステムがいくつかの実現可能なＤＲＭシステムを例示する目的でのみ提示され、限定的な意味を持つことを意図しないことは言うまでもない。
【００８４】
ＤＲＭシステムＡ５０３、ＤＲＭシステムＢ５０２及びデバイス５０１の構成要素は、インターネット、ＷＡＮ、ＬＡＮ、セルラネットワーク、あるいは何らかの適切な有線又は無線のプライベートネットワーク又はパブリックネットワークの任意の組み合わせから構成されうるネットワーク５０４を介して通信する。着脱可能な記憶装置を介して通信が実行されうるし、あるいはデバイス自体を介してＢｌｕｅｔｏｏｔｈ又はＷｉ‐Ｆｉ（ＩＥＥＥ８０２．１１）などのローカル無線通信によって通信が実行されうる。
【００８５】
非ドメインデバイス５０１は、通信ネットワーク５０４を介して（先に開示された方法のうちいずれかの方法によって）ＤＲＭシステムＡ５０３の側で一時認可を取得しうる。一時認可は、コンテンツのドメイン全体又はコンテンツの一部分などのコンテンツの何らかのサブセットに対するアクセスを一時的に付与しうる。しかし、このような認可に際して、デバイス５０１は、ＤＲＭシステムＡから認可済みコンテンツを必ずしも取得しなくてよい。デバイス５０１は、ＤＲＭシステムＢ５０２のコンテンツのインスタンスを取得するために、ＤＲＭシステムＡ５０３内のコンテンツに対する一時認可の証拠を使用しうる。例えば、デバイス５０１は、ＤＲＭシステムＢ５０２のコンテンツのインスタンスを受信するために、（一時認可の結果として）ＤＲＭシステムＡ５０３から受信されたコンテンツライセンスを使用しうる。このようなシナリオは、デバイス５０がＤＲＭシステムＢ５０２に関連する高帯域幅接続を有するが、通常は特定の所望のコンテンツに対する認可を有さない場合に特に効果的である。
【００８６】
ケーブルサービスを例にとると、多くの場合、ケーブルプロバイダは、独自の特定のコンテンツサービスとブロードバンド接続をリンクする。多くの場合、ケーブルプロバイダは、ユーザが加入する複数のアクセスレベルを更に用意している。基本加入レベル（ＤＲＭシステムベーシック）の加入者が、基本レベルでは見られないコンテンツを含むプレミアムコンテンツドメイン（ＤＲＭシステムプレミアム）に対する認可を有する友人の訪問を受けた場合、訪問した友人は、加入者側デバイスに友人側ドメインに対する認可を一時的に認可することができ、それにより、加入者側デバイスは、ケーブルプロバイダのコンテンツ（ＤＲＭシステムベーシックドメイン）及び友人側コンテンツ（ＤＲＭシステムプレミアムドメイン）の双方に対して認可されることになる。しかし、ＤＲＭシステムベーシックへの加入者側の接続の邦画プレミアムコンテンツを受信するのにより適しているので、加入者側デバイスは、通常はプレミアムコンテンツに対するアクセス権をもたない加入者であっても、ＤＲＭシステムベーシックのコンテンツのインスタンスにアクセスするためにＤＲＭシステムプレミアムからのライセンス又は認可を使用しうる。
【００８７】
複数のデバイスが２つ以上のコンテンツドメインで並行メンバーシップを有する場合も考えられる。例えば、図６Ａを参照すると、２つの異なるコンテンツドメイン内に６人のユーザが示される。ユーザ１〜３は、サービスプロバイダＡに関わるコンテンツドメインの一部であり、ユーザ４〜６は、サービスプロバイダＢに関わるコンテンツドメインの一部である。各ユーザは、そのユーザンコンテンツドメイン内のコンテンツにアクセスするために認可された複数のデバイスを有する。
【００８８】
図６Ｂに示されるように、ユーザ１は、ユーザ５のすべてのデバイスに適用される一時認可をユーザ５に提供しうる。この一時認可は、ユーザ５のデバイスのうちいずれか１つのデバイスから要求されうるし、その要求が許可された場合、一時認可は、ユーザ５に登録されている他のデバイスに自動的に伝搬されうる。あるいは、一時認可は、ＵＳＢなどの取り外し可能な記憶ドライブにダウンロードされ、その後、ユーザが一時認可を拡張することを希望しているすべてのデバイスにダウンロードされうる。また、全デバイス一時認可は、ユーザ１により要求される特殊な種類の一時認可であり、その場合、要求が許可されると、ユーザ５のすべてのデバイスにほぼ同時に一時認可オブジェクトが導入されることが可能になる。多くの変形が可能であり、上記の例は、限定的な意味を持つことを意図しない。
【００８９】
図６Ｃは、一時認可が付与された後にユーザ５がアクセス権を持つドメインを示す。ユーザ５自身のサービスプロバイダＢのコンテンツドメインに加えて、ユーザ５は、すべてのデバイス、すなわちデバイス２１〜２５でサービスプロバイダＡのドメイン内のコンテンツにアクセスできる。アクセス可能なコンテンツは、認可の種類により整理されうる。例えば、ユーザ５は、ユーザ５が非一時認可を有するコンテンツに関わる他のフォルダと並行して、一時的に認可されたすべてのコンテンツを含むフォルダを閲覧できる。
【００９０】
図７Ａ〜図７Ｃは、第１のユーザ及び第２のユーザが認証済みであり、デバイスが第１のユーザドメイン（ドメイン１）及び第２のユーザドメイン（ドメイン２）のメンバーであると認可されているユーザデバイスの例示的なＵＩ７００を示す。この例では、ドメイン２に対するデバイスの認可は一時的である。例示的なＵＩ７００は、カタログ７０１、認可７０２及びアカウントマネージャ７０３を含む３つのタブを有しうる。これらのタブが例示のみを目的として提示されていることは言うまでもなく、一時認可を利用するデバイスのＵＩは、種々のケーブルＳＴＢ、ストリーミングサービス、予約購読コンテンツ、メディアサーバ、パーソナルメディアデバイスなどのあらゆる種類のデバイスのＵＩであってよい。
【００９１】
図７Ａに示される例では、カタログ７０１は、コンテンツ又はコンテンツに対するライセンスを表現できるアイコン（アイテム１．．．６）から構成される。アイコンは、当該技術でよく知られているドラッグアンドドロップ操作、右クリックなどに応答する場合の動作と同様に動作する。各アイコン（アイテム１．．．６）は、そのアイコンに関する追加情報に関連付けられうるし、追加情報は更にダイナミックでありうる。例えば、アイテム１がレンタルであり、そのレンタルがドメイン１の一部であると知ることは第１のユーザに役立つ。アイテム１は、レンタルで残されている日数又は時間数に関連するダイナミック情報を更に含みうる。この情報は、アイテム２の中のようにアイテムの一部として挙げられうるが、アイテム１の上へマウスポインタを動かす動作のような何らかの動作をユーザが実行した場合にＵＩに現れうる。更に、ダイナミック情報は、アイテム４のように一時認可で残されている時間を表すのに加えて、アイテム３のように一時認可を介して特定のコンテンツアイテムに対するアクセス権を取得した時点を提示しうる。
【００９２】
グラフィカルインタフェースを介して他の追加情報がユーザに提示されうることは言うまでもなく、追加情報は、ドメインの期限切れ及びレンタルの期限切れに限定されない。尚、例えば、アイテム３は一時認可を介して一時的に利用可能になるだけであるので、アイテム３のアイコンは購入及びレンタルを申し出る。一時認可が期限切れになった場合、第１のユーザが購入又はレンタル又は加入の申し出を選択すると、アイテム３を利用可能な状態にしておくことができる。選択しない場合には、アイテムがＵＩから取り除かれうる。あるいは、一時認可が期限切れになったのち、アイコンはそのまま残りうるが、アイコンの選択により、コンテンツに対するアクセス又はライセンスが提供されるのではなく、コンテンツの購入又はレンタル又は予約購読の申し出が提供されうる。アイテム５は、ドメイン２に属し、ユーザが早い時点で期限切れを迎えるレンタルを示し、アイテム６は購入済みコンテンツを示す。
【００９３】
図７Ｂは、開示される一実施形態に係る認可タブ７０２を示す。このようなインタフェースは、永続認可の追加、永続認可の取り消し、一時認可の追加及び一時認可の取り消しなどのドメインに関する認可特徴を管理する便利な手段を構成する。認可タブ７０２を使用することにより、持続時間の設定（１５分、２週間など）、あるいは特定のコンテンツ部分、コンテンツの種類（音楽又は映像）又はドメイン全体への一時認可の関連付けなどの一時認可のカスタム化を実現できる。更に、ユーザは、デバイスを使用して一時認可を作成し、その一時認可を後に異なるデバイスで使用するために他のデバイス又はポータブル記憶装置へ転送することも可能である。更に、ユーザが一時認可を取得できるコンテンツに関して、ユーザは、永続認可を購入又は他の方法により取得することもできる。例えば、ユーザは、友人がライセンスを有するＴＶ番組シリーズに対する一時認可が付与されるために、友人に当該友人のクレデンシャルをデバイスに入力してもらうことができる。一時認可が期限切れになったのちもユーザがそのＴＶ番組シリーズを視聴し続けることを希望する場合、ユーザは、デバイスに関する永続認可を購入することにより、友人がライセンスを有するＴＶ番組シリーズを再生し続けることができる。
【００９４】
認可タブ７０２又は他の何らかのＵＩ要素のいずれかを使用して、ユーザインタフェースを介して利用可能な例示的な特徴は、デバイス及びコンピュータン登録及び管理を含む。例えば、第１のユーザは、どのデバイスが第１のコンテンツドメイン内のコンテンツにアクセスする権利を有するか、どのデバイスが一時認可を介して第２のドメイン内のコンテンツにアクセスすることを許可されているかを編集し、新たな移動デバイス又はメディアプレイヤーなどの新たなデバイスをコンテンツドメインにセットアップするための情報を入力しうる。デバイス登録・管理構成要素については多くの変形が可能であり、上記の例は、限定的な意味を持つことを意図しない。
【００９５】
図７Ｃは、開示される一実施形態に係る例示的なアカウントマネージャタブ７０３を示す。アカウントマネージャタブ７０３は、例えばユーザのアカウント作成、ログインおよびパスワード管理を支援するために使用されうる。更に、アカウントマネージャタブ７０３は、費用を管理するため、レンタル及び購入の場合の料金又は請求金額を支払うため又は１つ以上のユーザのアカウントに関連付けられた一時認可を管理するために使用されうる。
【００９６】
図７Ａ〜図７Ｃのユーザインタフェースが端に例示を目的として提示されているにすぎないことは言うまでもなく、本明細書において開示される一時認可技術と関連して多様なユーザインタフェースを利用できる。デバイスは、非一時又は一時に関わらず、多数のドメインのメンバーでありうるし、ストリーミングサーバ、保護相互運用ファイルフォーマット（ＰＩＦＦ）ファイルのようなローカルファイルなどまで拡張されてもよく、現在デバイスが有するドメイン認可に基づいて到達できるコンテンツをユーザに提示しうる。プレゼンテーション層の一部として、デバイスは、購入済み、レンタル済み、ドメインメンバーシップ、予約購読により利用可能などの、コンテンツに関連付けられた権利の詳細を提供しうる。
【００９７】
例えば、図７Ｄは、複数のコンテンツドメイン内のコンテンツを表示するために使用可能なユーザインタフェース７１０を示す。それらのコンテンツドメインは、他のユーザのライブラリ７１１Ａ、７１１Ｂ及び７１Ｃに対応しうるし、ユーザ独自のライブラリ７１２を含みうる。図示されるように、各コンテンツドメインは、コンテンツの所有者とアンレンづけられうる。ユーザインタフェース７１０は、コンテンツ標識（コンテンツインジケータ）７１５のような複数のコンテンツ標識を更に示しうる。各コンテンツ標識は、１つ以上のコンテンツアイテムを表し、１つのコンテンツドメインに関連付けられる。例えば、コンテンツ標識７１５は、「映画Ｂ」を表すとともにグレッグのライブラリに関連付けられ、コンテンツ標識７１６は、「ＴＶショーＤ」を表すとともにユーザのライブラリに関連付けられる。尚、コンテンツアイテムは、スージーのライブラリ及びユーザのライブラリにあるＴＶショーＤのような複数のコンテンツ標識及び複数の所有者を有しうる。
【００９８】
ユーザは、コンテンツ標識のうち１つの標識（インジケータ）を選択しうる。ユーザが選択されたコンテンツ標識に関連付けられたコンテンツドメインのコンテンツ所有者である場合、そのコンテンツ標識により表されるコンテンツアイテムに対するアクセスを許可されうる。例えば、ユーザがコンテンツ標識７１６を選択した場合、コンテンツ標識７１６に関連付けられたコンテンツドメインはユーザ自身のライブラリであるので、ＴＶショーＤに対するアクセスが許可される。
【００９９】
これに対し、ユーザが選択されたコンテンツ標識に関連付けられたコンテンツドメインのコンテンツ所有者ではない場合、選択されたコンテンツ標識により表されるコンテンツアイテムにアクセスするためのユーザ一時認可の付与につながると考えられる一時認可申し出がユーザへ送信されうる。例えば、ユーザがコンテンツ標識７１５を選択した場合、コンテンツ標識７１５はグレッグのライブラリのドメイン内にある映画Ｂに対応し、コンテンツ所有者はグレッグであるので、ユーザへ一時認可の申し出が送信されうる。ユーザが一時認可の申し出を受け入れると、選択されたコンテンツ標識に関連付けられたコンテンツドメイン内のコンテンツをユーザデバイスでアクセスするための一時認可がユーザに付与されうる。一時認可は、コンテンツドメイン全体に拡張されうるが、コンテンツ標識が表す１つのアイテムに対する認可であってもよい。例えば、ユーザは、ユーザのデバイスでグレッグのライブラリ７１１Ａにアクセスするための一時認可を取得しうるし、ユーザのデバイスで「映画Ｂ」にアクセスするための一時認可を取得しうる。
【０１００】
図７Ｄに示されるユーザは、すべて１つのデバイスのユーザである。例えば、家庭用媒体記憶サーバは、家族のメンバーごとにコンテンツライブラリを記憶することができる。あるいは、ユーザインタフェースに表示される追加のユーザ及びライブラリ合デバイスの一次ユーザにより選択されうる。例えば、ユーザは、１人以上の友人又はソーシャルネットワークの連絡先のうち１つを選択しうる。そこで、ユーザインタフェースに、１人以上の友人に対応するライブラリが書き込まれうる。
【０１０１】
各コンテンツドメインに関連付けられたコンテンツ所有者情報及び関連するコンテンツ標識がユーザに対して表示されうる。あるいは、コンテンツ所有者情報又はコンテンツドメイン情報を伴わずに、コンテンツ標識が表示されうる。
【０１０２】
更に、図７Ｅに示される用意、ユーザは、コンテンツドメイン全体にアクセスするための認可を直接要求しうる。図７Ｅは、グレッグのライブラリ７２１Ａ、スージーのライブラリ７２１Ｂ、Ｒｂｅｒｔのライブラリ７２１Ｃ及びユーザのライブラリ７２２に対応するコンテンツドメインを含むユーザインタフェース７２０を示す。「アクセス要求」ボタン７２３Ａ、７２３Ｂ及び７２３Ｃのうち１つのボタンを選択することにより、ユーザは、特定のコンテンツ標識を選択する必要なく、１つのコンテンツドメイン内のコンテンツにアクセスするための一時認可を要求できる。本明細書において開示される一時認可システムに関連してユーザインタフェースの多くの変形が可能であることは言うまでもなく、ユーザインタフェースは、開示される実施例に限定されない。
【０１０３】
図７Ｆは、ユーザがアクセスできるすべてのコンテンツをまとめて提示するインタフェース７３０を示す。例えば、インタフェース７３０は、ユーザのライブラリに対応する第１のコンテンツドメイン内のコンテンツ、グレッグのライブラリに対応する第２のコンテンツドメイン内のコンテンツ、ロバートのライブラリに対応する第３のコンテンツドメイン内のコンテンツを含む。図７Ｆのユーザインタフェース７３０のユーザは、ロバートのライブラリのグレッグのライブラリの中のコンテンツ項目にアクセスするための一時認可を既に取得しているかもしれない。ユーザインタフェース７３０は、ユーザのライブラリ内にある「ＴＶショーＤ」に対応する標識７３１などのコンテンツ標識を表示してもよい。更に、一時的に認可されているコンテンツドメイン内のコンテンツ項目のコンテンツ標識は、一時的に認可されたコンテンツドメイン内にそれらの項目があると識別する情報を含んでもよい。例えば、「歌Ｆ」のコンテンツ標識は、その歌がロバートのライブラリの一部であることを識別する情報を「ロバート」７３２の形で含む。特定の一時認可に関する残り時間を示す持続時間標識及び他の有用な標識のように、先に挙げたユーザインタフェースに関連して説明した特徴のうちいずれかの特徴をコンテンツ標識が含んでもよいことは言うまでもない。更に、一時的に認可されているコンテンツドメインは、すでにデバイスがアクセス可能になっているコンテンツドメインとは異なるユーザに属する必要はない。例えば、同一のユーザが２つの異なるアカウントを有してもよく、１つのアカウントからログアウトして、別のアカウントにログインするのではなく、ユーザは、第１のアカウントに対するアクセスを維持したまま、第２のアカウントでコンテンツ項目にアクセスするための一時認可を取得してもよい。
【０１０４】
ユーザがアクセスするためのライセンス又は認可を取得しているコンテンツのみを提示するのではなく、デバイスがアクセスできるすべてのコンテンツの画面をユーザに提示するためにユーザインタフェースが使用されうる。ユーザインタフェースは、複数のコンテンツ所有者に関連付けられた複数のコンテンツドメインにまたがってコンテンツを表示し、コンテンツにアクセスするための一時ライセンス又は非一時ライセンスを取得する雨のユーザオプションを提供しうる。更に、現在のシステムと組み合わせて、ユーザがコンテンツの販売代理店として行動すること又はコンテンツをプロモーションするのと引き換えに何らかの報奨金又は報酬を受け取ることができるような特殊な価格設定モデルが利用されうる。例えば、ユーザは、ユーザのデバイスで視聴できる友人のライブラリ内の１つ以上のコンテンツアイテムに対して一時ライセンス又は非一時ライセンスを取得する価格で割引を受けうる。更に、友人は、自身のライブラリ内にある１つ以上のコンテンツ項目を推薦することなどによりユーザ又は他のユーザにプロモーションするのに対して報奨金を受け取りうる。この報奨金は、現金、報酬、割引、クーポン、無料の一時認可などでありうる。
【０１０５】
コンテンツドメインに対してデバイスを認可し、著作権保護を確実に実施するとともにＤＲＭ制限を厳守するために、多様なトラストモデルを使用できる。少数の緊密に協働するドメイン又は１つの管理的ドメインの中で信頼性を有効化するために、例えばパブリックキーインフラストラクチャ（ＰＫＩ）又はケルベロスなどの厳正な認証機構が使用されうる。
【０１０６】
図８は、本明細書において開示される一時認可方法と共に使用可能な例示的なトラストシステムを示す。このようなシステムが解決する問題のうち１つを簡単に説明するのが「Ｃａｎ  Ｉ  ｇｉｖｅ  ｙｏｕ  ｓｏｍｅｔｈｉｎｇ？（何をお望みですか）」である。コンテンツサーバ又はドメインサーバ８０１は、何らかの種類の認証クレデンシャル検査又は関連データを要求しうるし、単純なファイルサーバでありうる。８０１が単純なファイルシステムサーバである場合、ソフトウェアインタフェース８０２においてライセンス及びキーが受信され、適用される。ソフトウェアインタフェースは、例えばライセンスを受信して検査するために、サーバ８０１と通信可能でユーザ８０３からデータを受信可能なブラウザ、プログラム又は他のインタフェースでありうる。
【０１０７】
ソフトウェアインタフェース８０２は、サーバ８０１との通信を確立し、信頼リンク８０５をセットアップするためのキーを取得しうる。信頼リンク８０５は、例えばセキュアソケットレイヤ（ＳＳＬ）でありうるが、他の信頼リンクもよく知られており、利用可能である。認証クレデンシャルを有するユーザ８０３は、ソフトウェアインタフェース８０２を介してクレデンシャルを入力し、クレデンシャルが受け入れられた場合、ソフトウェアインタフェース８０２は、ダウンロード済み認可オブジェクト又は条件付きアクセス方式によってユーザ８０３のドメインに対して認可済みの状態になる。認可オブジェクトが一時的又は非一時的のいずれでもありうることは言うまでもない。
【０１０８】
認可は単一のコンテンツ部分に対する要求の一部でありうるし、信頼リンク８０５又は他の機密送信手段を費用して、ストリーム又はダウンロードを介してソフトウェアインタフェース８０２へ特定のコンテンツインスタンスを配信するために、ダウンロード済み認可オブジェクトが使用されうる。更に、認可により、ソフトウェアインタフェース８０２を介してユーザ８０３にコンテンツのカタログが提示されうる。
【０１０９】
更に、認可により、ソフトウェアインタフェース８０２をホストするデバイスで一時ライセンス又は非一時ライセンスが導入されうる。このような方式では、ドメインサーバ８０１はソフトウェアインタフェース８０を信頼するが、サーバ８０１が認証したクレデンシャル８０４をユーザが提供するまで、ユーザ８０３を信頼しない。
【０１１０】
図９は、コンテンツキー及びドメインキーに依存する例示的なトラストシステムを示す。このようなシステムが解決する問題の１つを簡単に説明するのが、「Ｃａｎ  Ｉ  ｔｒｕｓｔ  ｙｏｕ  ｔｏ  ａｕｔｈｏｒｉｚｅ  ｎｏｎ‐ｄｏｍａｉｎ  ｄｅｖｉｃｅｓ  ｅｉｔｈｅｒ  ｗｉｔｈ  ｏｒ  ｗｉｔｈｏｕｔ  ａ  ｃｏｎｃｕｒｒｅｎｔ  ｃｏｎｎｃｔｉｏｎ  ｔｏ  ａｎ  ａｕｔｈｏｒｉｚａｔｉｏｎ  ｓｅｒｖｅｒ？（認可サーバに対する同時接続を伴う又は伴わない非ドメインデバイスを認可するために、あなたを信頼してもよいですか）」である。ドメインサーバ９０１．．．９０４は、認証要求（ログイン、検査パーミッションなど）に応答する。デバイス９０５は、ユーザ９０６に関連付けられた第１のユーザ９０６ドメインの中のデバイスである。すなわち、デバイス９０５はユーザ９０６のドメインに結び付けられている。コンテンツサーバ９０７．．．９１０は、暗号化コンテンツを格納する。ユーザ９０６の認証クレデンシャルを問い合わせて受け入れ、その認証比較情報をドメインサーバ９０１．．．９０４のうちいずれかのサーバに提示することにより、デバイス９０５はドメインのメンバーになることができる。ドメインサーバ９０１．．．９０４のうちいずれかのサーバがクレデンシャルを真正であるとして受け入れた場合、デバイス９０５は、ドメインキーＫＤを介してユーザ９０６のドメインに結び付けられる。
【０１１１】
ドメインキーは、ドメインに特徴付けられたデバイスのメンバーシップカウントに依存させることができ、そのようなカウントは、ドメインサーバ９０１．．．９０４内、又は、デバイス９０５、９１１上に格納することができる。典型的な種類のＤＲＭシステムは、任意の一時点におけるドメインメンバーシップを設定された数のデバイスに制限することができる。他の典型的なＤＲＭシステムは、一時メンバーシップ機構によりドメインメンバーシップを定義することができる。
【０１１２】
デバイス９０５はライセンス管理デバイスでありうる。しかし、デバイス９０５は、ドメインサーバ９０１〜９０４のうち１つのサーバ、クラウド記憶装置又は他の記憶装置に常駐するライセンス管理デバイスに対するインタフェースにアクセスするために使用されうる。例えば、コンテンツに対するライセンスは、ウェブ利用Ｅメールアカウントサービスの一部として記憶されうる。そのような状況では、ライセンスはＥメールオブジェクトとして記憶されうるし、別にライセンスオブジェクトとしても記憶されうるだろう。ライセンスがＥメールオブジェクトとして、例えばＥメールによる購入の受信として記憶される場合、Ｅメールは、認証機関により提供されるのと同様のデジタル証明書を要求するだろう。
【０１１３】
ライセンス管理デバイス９０５は、ユーザ９０６とコンテンツの使用権との関連のレコードを多くの場合にライセンスとして維持しうるが、他の形の関連付けも考えられる。ライセンス管理デバイス９０５は、ライセンスに関連付けられたコンテンツを更に記憶しうる。
【０１１４】
ユーザ９０６は、ライセンス管理デバイス９０５へクレデンシャルを提供することができ、ライセンス管理デバイス９０５は、認証のためにクレデンシャルをドメインサーバ９０１〜９０４のうち１つのサーバへ送出する。クレデンシャルが真正である場合、ドメインサーバは、そのドメインで許容されているデバイスの数に関するドメイン制限を更に検査しうる。新たな認可要求がドメイン制限を超えると思われる場合、認可サーバ９０１〜９０４は、新たな認可が付与される前に既存のドメインデバイスを認可解除すべきであると応答しうる。あるいは、ドメインにデバイス数の制限は課されなくてもよい。
【０１１５】
ドメインサーバ又は他のオーソライザコンピュータシステムは、コンテンツドメインの一時ライセンス及び非一時ライセンスを監視して追跡しうる（「監視サーバ」）。特定のデバイスが一時認可を起動又は受信した場合、その情報は記録され、関連する監視サーバを更新するために使用されうる。これにより、ユーザデバイスごと又はユーザアカウントごとに一時認可の数を管理して制限することができる。更に、一時認可が送出された後、一時認可を起動するために、デバイスは、監視サーバとの能動的接続を維持する一用はない。例えば、デバイスはオフラインになりうるし、その後、ユーザは、一時認可を起動し、コンテンツアイテムにアクセスしうる。その状況で、デバイスが再びオンライン状態に戻った場合、デバイスは、一時認可が起動されて利用されたことを監視サーバに報告しうる。
【０１１６】
クレデンシャルが認証されてドメイン制限を超えない場合、ライセンス管理デバイス９０５は、認可サーバからドメインキーを受信する。例示的な信頼システムの場合、同一のドメインのすべてのデバイスは同一のドメインキーを有する。ライセンス管理デバイス９０５がドメインキーを取得した（ドメインにつながれた）場合、ユーザ９０６は、キーを使用して、ドメインのコンテンツに関連付けられた使用権を行使することができる。
【０１１７】
例示的なＤＲＭシステムは、複数の種類のキーを有しうる。例えば、第１の種類のドメインキーは、コンテンツキーのロックを解除しうる。ドメインキーは、関連する許諾を更に有しうる。第２の種類のドメインキーは、コンテンツキーのロックを解除するが、ライセンス使用年数管理機能に課される制限に関連付けられうる。例えば、ユーザが友人の非ドメインデバイスとドメインキーを一時的に共有することを希望するが、友人のアクセスがライセンス使用年数管理機能などに対するアクセスを含むことを希望しない場合が考えられる。そのような種類のドメインキーは、コンテンツキーのロックを解除しうるが、更なる認可を付与すること、ユーザアカウント情報を管理することを可能にするなどの他の機能のアクセスに対する制限を事項するように機能しうるだろう。
【０１１８】
コンテンツサーバ９０７〜９１０はコンテンツを記憶する。コンテンツサーバ９０７〜９１０は、非暗号化コンテンツを記憶し、ＳＳＬなどの保護を使用する保護リンクを介してそのコンテンツを配信しうる。あるいは、コンテンツサーバ９０７〜９１０は、コンテンツキーＫＣによって暗号化された保護コンテンツを記憶しうる。そのようなコンテンツは、光媒体又はフラッシュ媒体を介するか、エッジサーバを使用してダウンロードするか、ピアツーピアネットワークを使用するか、超配信によるかなど、いくつかの方法で配信されうる。
【０１１９】
一時認可に関連付けられたドメインキー及びコンテンツキーは、デバイスに記憶され、例えばキーをポータブルＵＳＢメモリスティックにロードすることにより、デバイスへ搬送されるか又はデバイス間で共有されうる。以下の例示的な使用例は、この処理がどのように機能するかを例示し、このような特徴の利点を説明する。
【０１２０】
ユーザが保護コンテンツを購入する場合、コンテンツ販売車は、ユーザからクレデンシャルを要求しうる。販売者は、そのクレデンシャルを使用して、ユーザドメインを作成し、ユーザを認証し、ドメインをドメインキーＫＤとリンクさせうる。これにより、ユーザは、有資格ドメインデバイスのうちどのデバイスでも保護コンテンツを体験することができる。
【０１２１】
前述のように、ドメイン内のすべてのデバイスは、デバイスがドメインのメンバーになった時点でデバイスにより受信された同一のドメインキーＫＤを有しうる。コンテンツは、コンテンツキーＫＣによって暗号化され、コンテンツサーバ９０７〜９１０に記憶されうる。コンテンツキーＫＣは、ユーザ０６のドメインキーＫＤを使用することによりデータＥ（ＫＤ，ＫＣ）に暗号化される。本明細書では、このデータをライセンストークンと呼ぶ。ユーザ９０６が暗号化コンテンツに対するアクセス権を取得した場合、暗号化コンテンツと共に又は暗号化コンテンツとは別に、そのコンテンツに関連付けられたライセンストークンＥ（ＫＤ，ＫＣ）も受信される。ユーザ９０６のドメインデバイス９０５のうち１つのデバイスは、ライセンストークンＥ（ＫＤ，ＫＣ）からドメインキーＫＤを解読する。ドメイン内のどの有資格デバイスもドメインキーＫＤを有するので、すべてのドメインデバイス９０５がライセンストークンＥ（ＫＤ，ＫＣ）からコンテンツキーＫＣを解読することが可能である。尚、ドメインデバイス９０５、ライセンストークン及び暗号化コンテンツの組み合わせが有効である場合にのみ、すなわちユーザが正規にライセンスを取得していた場合にのみ、コンテンツを使用できる。
【０１２２】
ユーザ９０６のドメインへのデバイス９０５の登録が取り消され、デバイス９０５が別のドメインに登録された場合、ドメインキーＫＤは解除されるので、デバイスは、ユーザ９０６に属するコンテンツにアクセスすることができなくなる。あるいは、非ドメインコンテンツが排除又は隠蔽されうる。あるいは、非ドメインコンテンツは、コンテンツのカタログにアイテムとして提示されるが、利用不可能なドメインの一部であるか又は購入、レンタル又は予約購読によって利用可能であるとマーキングされうる。どのデバイスも、ただ１つのドメインキーを有するように構成されるか、又は２つ以上のドメインキーと、時間制限又は地理的条件、接近距離などの他の制限を受ける一時ドメインキーとを有するように構成されうる。
【０１２３】
図９において、ＵＳＢメモリスティック又は例えばＳＤカードなどの電子デバイス間でデジタルファイルを移動させるか、あるいはＰＣ又はポータブルメディアプレイヤー、セットトップボックス、ブルーレイプレイヤーなどのデバイスへデジタルファイルを移動させるために、持ち運び可能な記憶装置にパッケージ９１２が記憶されうる。更に、パッケージ９１２は、認可及び／又はキーの搬送機構として機能しうる。このようなパッケージ９１２は、ライセンストークンＥ（ＫＤ，ＫＣ）を含みうるし、ドメインマネージャＤＭを更に含みうる。パッケージ９１２は、認可に関連付けられたコンテンツを更に含みうる。
【０１２４】
パッケージ９１２は、ＵＳＢメモリスティックの形のメモリに記憶されうる。パッケージは、保護コンテンツと、ライセンストークンＥ（ＫＤ，ＫＣ）のロックを解除するためのユーザ１２０６のドメインに関連付けられたデバイスキーＫＤとを有しうる。保護コンテンツ、ライセンストークンＥ（ＫＤ，ＫＣ）及びデバイスキーＫＤは、一体に記憶されうるし、個別に記憶されうる。ユーザ９０６のドメインに関連付けられていないデバイス９１１にＵＳＢメモリスティックが差し込まれうる。例えば、デバイス９１１は、ユーザ９０６に関連付けられたドメインとは異なる別のドメインに関連付けられうるし、どのドメインの一部でなくてもよい。デバイス９１１がメンバーであるドメインの一部としてコンテンツを利用可能である場合、ユーザは、デバイス９１１を使用して、ストリーミング又はダウンロードによってコンテンツサーバ９０１〜９０４のコンテンツにアクセスしうる。
【０１２５】
更に、ユーザは、例えばＵＳＢメモリなどの何らかの種類のポータブル記憶装置を介して、ドメインのメンバーではないデバイス９１１へ、コンテンツ、ライセンストークンＥ（ＫＤ，ＫＣ）及びユーザのドメインの一部であるデバイスキーＫＤと共にパッケージ９１２を搬送しうる。例えば、ユーザは、以前に認可を取得していた映画を友人の新しい薄型画面ＴＶで視聴するという意図で、ユーザのデバイスキーを記憶させたＵＳＢを友人の家まで持参しうる。先に説明したように、デバイス９１１は、異なるドメインのメンバーでありうるが、どのドメインにも属していなくてもよい。認可処理中、デバイス９１１（例えば友人のＴＶ）は、パッケージ９１２の受信及びユーザとの対話を介して一時認可を受信する。更に、別のドメインに対するデバイス９１１の一時認可は、既存のドメインと共存しうる。あるいは、デバイス９１１は、一時認可が受信された後に一時ドメインのみが認可されるように構成されうる。
【０１２６】
搬送可能パッケージと関連する一時認可により、ユーザは、音声／映像媒体のライブラリを含む個人の移動レポジトリを持ち運ぶことができる。このようなライブラリは、例えば電話機の購入と一括されうるが、例えばメディアサービスへの加入と組み合わされてもよい。一時認可技術を使用して、容易にアクセス可能などのデバイスでもコンテンツを再生できる。例えば、ホテルに滞在中のユーザは、大規模なコンテンツライブラリを記憶させたパーソナル記憶装置をホテルのＴＶに接続し、そのコンテンツを使用するために、ホテルのＴＶを一時的に認可することができる。この状況では、コンテンツと共に、パーソナル記憶装置に記憶されたコンテンツキーのロックを解除可能な一時ドメインデバイスキーがユーザのドメインからホテルのＴＶへ発行されうる。一時ドメインデバイスキーは、以前にユーザのパーソナル記憶装置に記憶されており、いつでも、どこでも容易に利用可能な状態にすることができ、ホテルのＴＶで直接使用可能であるので、外部接続の必要はない。一時認可であるため、ホテルのＴＶにコンテンツがローカルにコピーされても、ＴＶにより使用されたドメインキーは期限切れになるので、コピーされたコンテンツを利用することは不可能である。
【０１２７】
しかし、ユーザのドメインからコンテンツを取得する手段なしで、ユーザのドメインから別のドメインへユーザのドメインキーが搬送される場合、ユーザのドメインデバイスキーと、異なるドメインデバイスキーで暗号化されている新たなドメインのコンテンツキーとの不一致の問題を解決する必要がある。例えば、ユーザは、コンテンツに対する認可を購入し（ダイレクトトゥホーム加入サービス）、それに応答して、認可の照明及びドメインデバイスキーを一時ドメインデバイスキーと共に受信しうる。そこで、ユーザは、インカの照明及びキーを例えばユーザの電話機に記憶させ、家族で自動車旅行に出かけることができる。道路沿いのコンビニエンスストアは、そのストアで購入するダイレクトトゥホームサービスの加入者は無料で保護コンテンツのダウンロードができると宣伝している。しかし、ダウンロードした映画をユーザのデバイスキーでアクセスしようとしても、ストアのコンテンツキーはユーザのドメインデバイスキーとは異なるドメインキーによって保護されているので、映画のロックを解除することはできない。
【０１２８】
この問題を解決する方法の１つは、ユーザのドメイン及び／又はコンテンツに対する認可を妥当性検査又は検証し、次に、ユーザのドメインデバイスキーにより保護されるコンテンツキーを一時的にデバイス９１１へ発行するための認可サービスクリアリングハウスである。コンビニエンスストアの例で説明すると、クリアリングハウスは、コンテンツにアクセスするためのユーザの認可を妥当性検査し、次に、ユーザのドメインデバイスキーにより保護された新たなコンテンツキーをコンビニエンスストアのデバイスへ発行しうる。このようにして、ユーザのドメインデバイスキーにより新たなコンテンツキーのロックを解除できる。
【０１２９】
検証は、ユーザのパッケージ、ドメインキー、コンテンツキー又はドメインメンバーシップの関連する資格の正当性に関してユーザのドメインを管理するＤＲＭシステムとの対話の受け入れを含み、ユーザのクレデンシャルを解決することを更に含みうる。別の解決方法は、ドメインデバイスキーによって保護された複数のコンテンツキーをユーザへ発行する。
【０１３０】
本出願を通して説明される一時デバイス認可、ライセンス追跡及びコンテンツ配信機構に関連する種々の特徴及びステップが先に説明した内容に限定されないことは言うまでもない。特徴、ステップ及び／又は種々の技術は、本明細書において説明されるシステム、方法及びコンピュータ可読媒体に従って互いに組み合わされうる。
【０１３１】
上述の１以上の手法は１以上のコンピュータシステム上に実装したり、コンピュータシステムに関わらせることができる。図１０は、コンピュータ環境１０００の一般的な例を示している。このコンピュータ環境１０００は、前述の実施形態の使用範囲や機能性について何らかの制限を示唆することを意図するものではない。
【０１３２】
図１０を参照すると、コンピュータ環境１０００は、１以上の処理ユニット１０１０とメモリ１０２０を有している。処理ユニット１０１０は、コンピュータ実行可能命令を実行し、現実の、又は、仮想的なプロセッサとすることができる。マルチプロセスシステムにおいて、複数のプロセスユニットは、処理能力を高めるためにコンピュータ実行可能命令を実行する。メモリ１０２０は、揮発性メモリ（例えば、レジスタ、キャッシュ、ＲＡＭ）、非揮発性メモリ（例えば、ＲＯＭ、ＥＥＰＲＯＭ、フラッシュメモリ等）、又は、２つの何らかの組み合わせとすることができる。メモリ１０２０は、前述の手法を実装したソフトウェア１０８０を格納することができる。
【０１３３】
コンピュータ環境は更なる特徴を有することができる。例えば、コンピュータ環境１０００は、記憶装置１０４０、１以上の入力デバイス１０５０、１以上の出力デバイス１０６０、及び、１以上の通信接続１０９０を有する。バス、コントローラ、或いはネットワーク等の相互接続機構１０７０は、コンピュータ環境１０００の構成要素を相互接続する。通常は、オペレーティングシステムソフトウェア又はファームウェア（不図示）が、コンピュータ環境１０００内で他のソフトウェア実行のための動作環境を提供し、コンピュータ環境１０００の構成要素の活動を調整する。
【０１３４】
記憶装置１０４０は、着脱可能又は着脱不能とすることができ、磁気ディスク、磁気テープ或いはカセット、ＣＤ−ＲＯＭ、ＣＤ−ＲＷ、ＤＶＤ、又は、情報の格納に用いることが可能で、コンピュータ環境１０００内でアクセスすることのできる任意の他の媒体を含む。記憶装置１０４０は、ソフトウェア１０８０に対する命令を記憶しうる。
【０１３５】
入力デバイス１０５０は、キーボード、マウス、ペン、トラックボール、タッチスクリーン、或いはゲームコントローラ等のタッチ入力デバイス、音声入力デバイス、スキャンデバイス、デジタルカメラ、リモコン、又は、コンピュータ環境１０００に入力を提供する他のデバイスとすることができる。出力デバイス１０６０は、ディスプレイ、テレビ、モニタ、プリンタ、スピーカ、又は、コンピュータ環境１０００からの出力を提供する他のデバイスとすることができる。
【０１３６】
通信接続１０９０は、通信媒体越しに他のコンピュータエンティティと通信することを可能にする。通信媒体は、コンピュータ実行可能命令、音声或いは動画情報、又は、他のデータ等の情報を、変調データ信号により伝達する。変調データ信号は、信号内の情報を符号化するように、その１以上の特性が設定ないし変更された信号である。非限定の例として、通信媒体には、電気、光、ＲＦ、赤外線、音響、又は、他のキャリアにより実装された、有線ないし無線の手法が含まれる。
【０１３７】
実装は、コンピュータ可読媒体の一般的状況により説明することができる。コンピュータ可読媒体は、コンピュータ環境内でアクセス可能な任意の利用可能な媒体である。非限定の例として、コンピュータ環境１０００内において、コンピュータ可読媒体には、メモリ１０２０、記憶装置１０４０、通信媒体、及びこれらの任意の組み合わせが含まれる。
【０１３８】
図１０は、コンピュータ環境１０００、ディスプレイデバイス１０６０、及び入力デバイス１０５０を別個のデバイスとして示しているが、これは区別を容易にすることを目的にしているだけであることは言うまでもない。コンピュータ環境１０００、ディスプレイデバイス１０６０、及び入力デバイス１０５０は、別個のデバイス（例えば、モニタ及びマウスにワイヤにより接続されたパーソナルコンピュータ）とすることもできるし、単一デバイス（例えば、スマートフォンやタブレット等の、タッチディスプレイを有するモバイルデバイス）に統合することもできるし、又は、デバイスの任意の組み合わせ（例えば、タッチスクリーンディスプレイデバイスに動作可能に結合されたコンピュータ装置、単一のディスプレイデバイス及び入力デバイスに接続された複数のコンピュータ装置等）とすることもできる。コンピュータ環境１０００は、セットトップボックス、パーソナルコンピュータ、又は、例えば、ネットワーク化されたサーバのファーム、クラスタ化されたサーバ環境、或いはコンピュータ装置のクラウドネットワークのような、１以上のサーバとすることができる。
【０１３９】
上述の実施形態を参照して本発明の原理を説明し、例示したが、上述の実施形態は、この原理から離れることなくその構成および詳細を修正することができることが認識されるだろう。本明細書中のプログラム、プロセス、又は方法は、特に示さない限り、ある特定の種類のコンピュータ環境に関係したり限定されることはないことを理解されたい。様々な種類の汎用目的または特定目的のコンピュータ環境を、本明細書の教示に従う動作により、又はその動作を実行するために、使用することができる。ソフトウェアにより示される上記実施形態の要素はハードウェアに実装することができ、逆も同様である。
【０１４０】
本発明の原理を適用可能な実施形態は多数あり得ることに鑑み、出願人は、以下の請求項およびその均等物の範囲及び精神においてとりうるあらゆる実施形態が本発明に含まれることを宣言する。
【図１Ａ】
2015510196.tif 000003
【図１Ｂ】
2015510196.tif 000004
【図２Ａ】
2015510196.tif 000005
【図２Ｂ】
2015510196.tif 000006
【図３】
2015510196.tif 000007
【図４Ａ】
2015510196.tif 000008
【図４Ｂ】
2015510196.tif 000009
【図５】
2015510196.tif 000010
【図６Ａ】
2015510196.tif 000011
【図６Ｂ】
2015510196.tif 000012
【図６Ｃ】
2015510196.tif 000013
【図７Ａ】
2015510196.tif 000014
【図７Ｂ】
2015510196.tif 000015
【図７Ｃ】
2015510196.tif 000016
【図７Ｄ】
2015510196.tif 000017
【図７Ｅ】
2015510196.tif 000018
【図７Ｆ】
2015510196.tif 000019
【図８】
2015510196.tif 000020
【図９】
2015510196.tif 000021
【図１０】
2015510196.tif 000022
【手続補正書】
【提出日】平成26年10月9日(2014.10.9)
【手続補正１】
【補正対象書類名】特許請求の範囲
【補正対象項目名】全文
【補正方法】変更
【補正の内容】
【特許請求の範囲】
【請求項１】
コンテンツに対するアクセスを取得する装置であって、
１つ以上のプロセッサと、
前記１つ以上のプロセッサのうち少なくとも１つのプロセッサに動作可能に結合された、命令を記憶する１つ以上のメモリと
を備え、
前記命令は、前記１つ以上のプロセッサのうち少なくとも１つのプロセッサにより実行された場合、前記１つ以上のプロセッサのうち少なくとも１つのプロセッサに、
−第１のコンテンツドメイン内のコンテンツにアクセスするための認可を有するデバイスのユーザに関連付けられたユーザクレデンシャルを送信させ、
−前記ユーザクレデンシャルに関連付けられた前記ユーザが第２のコンテンツドメイン内のコンテンツにアクセスするためのライセンスを有するという判定に少なくとも一部基づいて、前記デバイスが前記第２のコンテンツドメイン内のコンテンツにアクセスするための一時認可を受信させる
ことを特徴とする装置。
【請求項２】
前記１つ以上のメモリのうち少なくとも１つのメモリは、前記１つ以上のプロセッサのうち少なくとも１つのプロセッサにより実行された場合、前記１つ以上のプロセッサのうち少なくとも１つのプロセッサに、前記装置と同一のネットワーク上にある１つ以上のデバイスが前記第２のコンテンツドメイン内のコンテンツにアクセスすることを可能にする一時認可を該１つ以上のデバイスに付与させる命令を更に記憶することを特徴とする請求項１記載の装置。
【請求項３】
１つ以上の予め設定された条件が発生した場合、前記一時認可は自動的に失効することを特徴とする請求項１記載の装置。
【請求項４】
前記１つ以上の予め設定された条件は、所定の期間が経過することを含むことを特徴と数請求項３記載の装置。
【請求項５】
前記所定の期間は前記ユーザにより定義されることを特徴とする請求項４記載の装置。
【請求項６】
前記１つ以上の予め設定された条件は、前記第２のコンテンツドメイン内のコンテンツアイテムにアクセスすることを含むことを特徴とする請求項３記載の装置。
【請求項７】
前記１つ以上の予め設定された条件は、前記ユーザが前記デバイスから所定の距離だけ離れることを含むことを特徴とする請求項３記載の装置。
【請求項８】
前記一時認可は、前記第２のコンテンツドメイン内の前記コンテンツのサブセットに対するアクセスを許可することを特徴とする請求項１記載の装置。
【請求項９】
前記１つ以上のメモリのうち少なくとも１つのメモリは、前記１つ以上のプロセッサのうち少なくとも１つのプロセッサにより実行された場合、前記１つ以上のプロセッサのうち少なくとも１つのプロセッサに、前記一時認可を永続認可に変換するための申し出を受信させる命令を更に記憶することを特徴とする請求項１記載の装置。
【請求項１０】
先行する一時認可が有効である場合、一時認可は受信されないことを特徴とする請求項１記載の装置。
【請求項１１】
前記第１のコンテンツドメインは、前記ユーザクレデンシャルに関連付けられた前記ユーザ以外のユーザに属するライセンスに基づいてアクセス可能であることを特徴とする請求項１記載の装置。
【請求項１２】
前記第２のコンテンツドメイン内にあり、前記第１のコンテンツドメイン内にはないコンテンツアイテムにアクセスしようとする試みの後に受信されるクレデンシャル要求に応答して、前記ユーザクレデンシャルは送信されることを特徴とする請求項１記載の装置。
【請求項１３】
前記一時認可は、前記第２のコンテンツドメイン内にあり、前記第１のコンテンツドメイン内にはない前記コンテンツアイテムに限定されることを特徴とする請求項１２記載の装置。
【請求項１４】
一時認可を受信することは、一時ドメインキーを受信することを含むことを特徴とする請求項１記載の装置。
【請求項１５】
前記デバイスが前記第２のコンテンツドメイン内のコンテンツにアクセスするための一時認可を有する間、前記デバイスは、前記第１のコンテンツドメイン内及び前記第２のコンテンツドメイン内の双方のコンテンツにアクセスするための認可を有することを特徴とする請求項１記載の装置。
【請求項１６】
前記デバイスが前記第２のコンテンツドメイン内のコンテンツにアクセスするための一時認可を有する間、前記第１のコンテンツドメイン内のコンテンツにアクセスするための前記デバイスの認可は一時停止されることを特徴とする請求項１記載の装置。
【請求項１７】
コンテンツに対するアクセスを取得するために１つ以上のコンピュータ装置が実行するコンピュータに実装された方法であって、
−第１のコンテンツドメイン内のコンテンツにアクセスするための認可を有する前記１つ以上のコンピュータ装置のうち少なくとも１つのコンピュータ装置のユーザに関連付けられたユーザクレデンシャルを前記１つ以上のコンピュータ装置のうち少なくとも１つのコンピュータ装置により送信する工程と、
−前記ユーザクレデンシャルに関連付けられた前記ユーザが第２のコンテンツドメイン内のコンテンツにアクセスするためのライセンスを有するという判定に少なくとも一部基づいて、前記１つ以上のコンピュータ装置のうち少なくとも１つのコンピュータ装置が前記第２のコンテンツドメイン内のコンテンツにアクセスするための一時認可を前記１つ以上のコンピュータ装置のうち少なくとも１つのコンピュータ装置により受信する工程と
を備えることを特徴とする方法。
【請求項１８】
前記１つ以上のコンピュータ装置のうち少なくとも１つのコンピュータ装置と同一のネットワーク上にある１つ以上の追加のコンピュータ装置が前記第２のコンテンツドメイン内のコンテンツにアクセスすることを可能にする一時認可を、前記１つ以上のコンピュータ装置のうち少なくとも１つのコンピュータ装置により該１つ以上の追加のコンピュータ装置に付与する工程を更に備えることを特徴とする請求項１７記載の方法。
【請求項１９】
１つ以上の予め設定された条件が発生した場合、前記一時認可は自動的に失効することを特徴とする請求項１７記載の方法。
【請求項２０】
前記１つ以上の予め設定された条件は、所定の期間が経過することを含むことを特徴とする請求項１９記載の方法。
【請求項２１】
前記所定の期間は前記ユーザにより定義されることを特徴とする請求項２０記載の方法。
【請求項２２】
前記１つ以上の予め設定された条件は、前記第２のコンテンツドメイン内のコンテンツアイテムにアクセスすることを含むことを特徴とする請求項１９記載の方法。
【請求項２３】
前記１つ以上の予め設定された条件は、前記ユーザが前記１つ以上のコンピュータ装置のうち少なくとも１つのコンピュータ装置から所定の距離だけ離れることを含むことを特徴とする請求項１９記載の方法。
【請求項２４】
前記一時認可は、前記第２のコンテンツドメイン内の前記コンテンツのサブセットに対する前記１つ以上のコンピュータ装置のうち少なくとも１つのコンピュータ装置のアクセスを許可する請求項１７記載の方法。
【請求項２５】
前記一時認可を永続認可に変換するための申し出を前記１つ以上のコンピュータ装置のうち少なくとも１つのコンピュータ装置により受信する工程を更に備えることを特徴とする請求項１７記載の方法。
【請求項２６】
前記１つ以上のコンピュータ装置のうち少なくとも１つのコンピュータ装置が有効な先行する一時認可を有する場合、一時認可は受信されないことを特徴とする請求項１７記載の方法。
【請求項２７】
前記ユーザクレデンシャルに関連付けられた前記ユーザ以外のユーザに属するライセンスに基づいて、前記１つ以上のコンピュータ装置のうち少なくとも１つのコンピュータ装置は前記第１のコンテンツドメインにアクセス可能であることを特徴とする請求項１７記載の方法。
【請求項２８】
前記第２のコンテンツドメイン内にあり、前記第１のコンテンツドメイン内にはないコンテンツアイテムにアクセスしようとする試みの後に受信されるクレデンシャル要求に応答して、前記ユーザクレデンシャルは送信されることを特徴とする請求項１７記載の方法。
【請求項２９】
前記一時認可は、前記第２のコンテンツドメイン内にあり、前記第１のコンテンツドメイン内にはない前記コンテンツアイテムに限定されることを特徴とする請求項２８記載の方法。
【請求項３０】
一時認可を受信することは、一時ドメインキーを受信することを含む請求項１７記載の方法。
【請求項３１】
前記１つ以上のコンピュータ装置のうち前記少なくとも１つのコンピュータ装置が前記第２のコンテンツドメイン内のコンテンツにアクセスするための一時認可を有する間、前記１つ以上のコンピュータ装置のうち前記少なくとも１つのコンピュータ装置は、前記第１のコンテンツドメイン内及び前記第２のコンテンツドメイン内の双方のコンテンツにアクセスするための認可を有することを特徴とする請求項１７記載の方法。
【請求項３２】
前記１つ以上のコンピュータ装置のうち前記少なくとも１つのコンピュータ装置が前記第２のコンテンツドメイン内のコンテンツにアクセスするための一時認可を有する間、前記第１のコンテンツドメイン内のコンテンツにアクセスするための前記１つ以上のコンピュータ装置のうちの少なくとも１つのコンピュータ装置の認可は一時停止されることを特徴とする請求項１７記載の方法。
【請求項３３】
コンピュータ可読命令を記憶する少なくとも１つのコンピュータ可読媒体であって、
前記コンピュータ可読命令は、１つ以上のコンピュータ装置により実行された場合、前記１つ以上のコンピュータ装置のうち少なくとも１つのコンピュータ装置に、
−第１のコンテンツドメイン内のコンテンツにアクセスすることを可能にさせ、
−第１のコンテンツドメイン内のコンテンツにアクセスするための認可を有するデバイスのユーザに関連付けられたユーザクレデンシャルを送信させ、
−前記ユーザクレデンシャルに関連付けられた前記ユーザが第２のコンテンツドメイン内のコンテンツにアクセスするためのライセンスを有するという判定に少なくとも一部基づいて、前記デバイスが前記第２のコンテンツドメイン内のコンテンツにアクセスするための一時認可を受信させる
ことを特徴とするコンピュータ可読媒体。
【請求項３４】
前記１つ以上のコンピュータ装置のうち少なくとも１つのコンピュータ装置と同一のネットワーク上にある少なくとも１つの追加のデバイスが前記第２のコンテンツドメイン内のコンテンツにアクセスすることを可能にする一時認可を前記１つ以上の追加のデバイスに付与することを更に含むことを特徴とする請求項３３記載のコンピュータ可読媒体。
【請求項３５】
１つ以上の予め設定された条件が発生した場合、前記一時認可は自動的に失効することを特徴とする請求項３３記載のコンピュータ可読媒体。
【請求項３６】
前記１つ以上の以前設定条件は、所定の期間が経過することを含むことを特徴とする請求項３５記載のコンピュータ可読媒体。
【請求項３７】
前記所定の期間は前記ユーザにより定義されることを特徴とする請求項３６記載のコンピュータ可読媒体。
【請求項３８】
前記１つ以上の予め設定された条件は、前記第２のコンテンツドメイン内のコンテンツアイテムにアクセスすることを含むことを特徴とする請求項３５記載のコンピュータ可読媒体。
【請求項３９】
前記１つ以上の予め設定された条件は、前記ユーザが前記デバイスから所定の距離だけ離れることを含むことを特徴とする請求項３５記載のコンピュータ可読媒体。
【請求項４０】
前記一時認可は、前記第２のコンテンツドメイン内の前記コンテンツのサブセットに対するアクセスを許可することを特徴とする請求項３３記載のコンピュータ可読媒体。
【請求項４１】
前記一時認可を永続認可に変換するための申し出を受信することを更に含むことを特徴とする請求項３３記載のコンピュータ可読媒体。
【請求項４２】
先行する一時認可が有効である場合、一時認可は受信されないことを特徴とする請求項３３記載のコンピュータ可読媒体。
【請求項４３】
前記ユーザクレデンシャルに関連付けられた前記ユーザ以外のユーザに属するライセンスに基づいて、前記第１のコンテンツドメインはアクセス可能であることを特徴とする請求項３３記載のコンピュータ可読媒体。
【請求項４４】
前記第２のコンテンツドメイン内にあり、前記第１のコンテンツドメイン内にはないコンテンツアイテムにアクセスしようとする試みの後に受信されるクレデンシャル要求に応答して、前記ユーザクレデンシャルは送信されることを特徴とする請求項３３記載のコンピュータ可読媒体。
【請求項４５】
前記一時認可は、前記第２のコンテンツドメイン内にあり、前記第１のコンテンツドメイン内にはない前記コンテンツアイテムに限定されることを特徴とする請求項４４記載のコンピュータ可読媒体。
【請求項４６】
一時認可を受信することは、一時ドメインキーを受信することを含むことを特徴とする請求項３３記載のコンピュータ可読媒体。
【請求項４７】
前記デバイスが前記第２のコンテンツドメイン内のコンテンツにアクセスするための認可を有する間、前記デバイスは、前記第１のコンテンツドメイン内及び前記第２のコンテンツドメイン内の双方のコンテンツにアクセスするための認可を有することを特徴とする請求項３３記載のコンピュータ可読媒体。
【請求項４８】
前記デバイスが前記第２のコンテンツドメイン内のコンテンツにアクセスするための認可を有する間、前記デバイスが前記第１のコンテンツドメイン内のコンテンツにアクセスするための認可は一時停止されることを特徴とする請求項３３記載のコンピュータ可読媒体。
【請求項４９】
コンテンツに対するアクセスを取得する装置であって、
１つ以上のプロセッサと、
前記１つ以上のプロセッサのうち少なくとも１つのプロセッサに動作可能に結合された、命令を記憶する１つ以上のメモリと
を備え、
前記命令は、前記１つ以上のプロセッサのうち少なくとも１つのプロセッサにより実行された場合、前記１つ以上のプロセッサのうち少なくとも１つのプロセッサに、
−第１のユーザに関連付けられた第１のコンテンツドメイン及び第２のユーザに関連付けられた第２のコンテンツドメインに対応するデータを記憶させ、
−前記第１のコンテンツドメイン内の各コンテンツアイテムと、前記第２のコンテンツドメイン内の１つ以上のコンテンツアイテムと、に関連付けられたコンテンツ標識を表示させ、
デバイスが、前記第１のコンテンツドメイン内のコンテンツにアクセスするための認可と、前記第２のコンテンツドメイン内の１つ以上のコンテンツアイテムにアクセスするための一時認可と、を有し、
前記第２のコンテンツドメイン内の前記１つ以上のコンテンツアイテムに関連付けられた前記コンテンツ標識は、前記１つ以上のアイテムが前記第２のコンテンツドメイン内にあると識別する情報を含む
ことを特徴とする装置。
【請求項５０】
１つ以上の予め設定された条件が発生した場合、前記一時認可は自動的に失効することを特徴とする請求項４９記載の装置。
【請求項５１】
前記１つ以上の予め設定された条件は、所定の期間が経過することを含むことを特徴とする請求項５０記載の装置。
【請求項５２】
前記１つ以上の予め設定された条件は、前記第２のコンテンツドメイン内のコンテンツアイテムにアクセスすることを含むことを特徴とする請求項５０記載の装置。
【請求項５３】
前記第１のユーザ及び前記第２のユーザは共に前記デバイスのユーザであり、前記第１のドメイン内及び前記第２のドメイン内の前記コンテンツは前記デバイスに記憶されていることを特徴とする請求項４９記載の装置。
【請求項５４】
前記１つ以上のアイテムを前記第２のコンテンツドメイン内にあると識別する前記情報は、前記第２のユーザを識別する情報を含むことを特徴とする請求項４９記載の装置。
【請求項５５】
前記第１のユーザ及び前記第２のユーザは同一のユーザであることを特徴とする請求項４９記載の装置。
【請求項５６】
コンピュータ可読命令を記憶する少なくとも１つのコンピュータ可読媒体であって、
前記コンピュータ可読命令は、１つ以上のコンピュータ装置のうち少なくとも１つのコンピュータ装置により実行された場合、前記１つ以上のコンピュータ装置のうち少なくとも１つのコンピュータ装置に、
−第１のユーザに関連付けられた第１のコンテンツドメイン及び第２のユーザに関連付けられた第２のコンテンツドメインに対応するデータを記憶させ、
−前記第１のコンテンツドメイン内の各コンテンツアイテムと、前記第２のコンテンツドメイン内の１つ以上のコンテンツアイテムと、に関連付けられたコンテンツ標識を表示させ、
デバイスが、前記第１のコンテンツドメイン内のコンテンツにアクセスするための認可と、前記第２のコンテンツドメイン内の１つ以上のコンテンツアイテムにアクセスするための一時認可と、を有し、
前記第２のコンテンツドメイン内の前記１つ以上のコンテンツアイテムに関連付けられた前記コンテンツ標識は、前記１つ以上のアイテムが前記第２のコンテンツドメイン内にあると識別する情報を含む
ことを特徴とするコンピュータ可読媒体。
【請求項５７】
１つ以上の予め設定された条件が発生した場合、前記一時認可は自動的に失効することを特徴とする請求項５６記載のコンピュータ可読媒体。
【請求項５８】
前記１つ以上の予め設定された条件は、所定の期間が経過することを含むことを特徴とする請求項５７記載のコンピュータ可読媒体。
【請求項５９】
前記１つ以上の予め設定された条件は、前記選択されたコンテンツ標識に関連付けられた前記コンテンツドメイン内のコンテンツアイテムにアクセスすることを含むことを特徴とする請求項５７記載のコンピュータ可読媒体。
【請求項６０】
前記第１のユーザ及び前記第２のユーザは共に前記デバイスのユーザであり、前記第１のドメイン内及び前記第２のドメイン内の前記コンテンツは前記デバイスに記憶されていることを特徴とする請求項５６記載のコンピュータ可読媒体。
【請求項６１】
前記１つ以上のアイテムが前記第２のコンテンツドメイン内にあると識別する前記情報は、前記第２のユーザを識別する情報を含むことを特徴とする請求項５６記載のコンピュータ可読媒体。
【請求項６２】
前記第１のユーザ及び前記第２のユーザは同一のユーザであることを特徴とする請求項５６記載のコンピュータ可読媒体。
【請求項６３】
コンテンツに対するアクセスを取得するために１つ以上のコンピュータ装置が実行するコンピュータに実装された方法であって、
前記１つ以上のコンピュータ装置のうち少なくとも１つのコンピュータ装置が、
−第１のユーザに関連付けられた第１のコンテンツドメイン及び第２のユーザに関連付けられた第２のコンテンツドメインに対応するデータを記憶する工程と、
−前記第１のコンテンツドメイン内の各コンテンツアイテムと、前記第２のコンテンツドメイン内の１つ以上のコンテンツアイテムと、に関連付けられたコンテンツ標識を表示する工程と
を備え、
前記１つ以上のコンピュータ装置のうち少なくとも１つのコンピュータ装置が、前記第１のコンテンツドメイン内のコンテンツにアクセスするための認可と、前記第２のコンテンツドメイン内の１つ以上のコンテンツアイテムにアクセスするための一時認可と、を有し、
前記第２のコンテンツドメイン内の前記１つ以上のコンテンツアイテムに関連付けられた前記コンテンツ標識は、前記１つ以上のアイテムが前記第２のコンテンツドメイン内にあると識別する情報を含む
ことを特徴とする方法。
【請求項６４】
１つ以上の予め設定された条件が発生した場合、前記一時認可は自動的に失効することを特徴とする請求項６３記載の方法。
【請求項６５】
前記１つ以上の予め設定された条件は、所定の期間が経過することを含むことを特徴とする請求項６４記載の方法。
【請求項６６】
前記１つ以上の予め設定された条件は、前記第２のコンテンツ内のコンテンツアイテムにアクセスすることを含むことを特徴とする請求項６４記載の方法。
【請求項６７】
前記第１のユーザ及び前記第２のユーザは、共に前記１つ以上のコンピュータ装置のうち少なくとも１つのコンピュータ装置のユーザであり、前記第１のドメイン内及び前記第２のドメイン内の前記コンテンツは、前記１つ以上のコンピュータ装置のうち少なくとも１つのコンピュータ装置に記憶されていることを特徴とする請求項６３記載の方法。
【請求項６８】
前記１つ以上のアイテムが前記第２のコンテンツドメイン内にあることを識別する前記情報は、前記第２のユーザを識別する情報を含むことを特徴とする請求項６３記載の方法。
【請求項６９】
前記第１のユーザ及び前記第２のユーザは同一のユーザであることを特徴とする請求項６３記載の方法。
【国際調査報告】
2015510196.tif 000023
2015510196.tif 000024
2015510196.tif 000025